(57)【特許請求の範囲】
【請求項１】
光伝送路における障害区間の両側にある第１局と第２局とにおいて、上り主信号光および上り副信号光を有する上り光と下り主信号光および下り副信号光を有する下り光とに関する、光レベル制御方法であって、
該第２局が、該上り副信号光の出力を受信する第２局上り光受信ステップと、
該第２局が該下り副信号光を調整して出力するフィードバックステップと、
該第１局が、該フィードバックステップにて調整された該下り副信号光に基づき復旧を検出して該上り主信号光の出力を開始する第１局復旧ステップと、
該第２局が、該第１局復旧ステップにて得られた該上り主信号光と該上り副信号光とに基づいて該上り主信号光の復旧を判定する第２局復旧判定ステップと、
該第２局が、該第２局復旧判定ステップにおいて復旧と判定された場合は該下り主信号光を正常レベルに戻して出力するとともに、復旧と判定されない場合は該下り主信号光の出力を停止し続ける第２局復旧ステップとをそなえて構成されたことを特徴とする、光レベル制御方法。
【請求項２】
光伝送路における障害区間の両側にある第１局と第２局とにおいて、上り主信号光および上り副信号光を有する上り光と下り主信号光および下り副信号光を有する下り光とに関する、光レベル制御方法であって、
該第２局が、該上り副信号光の出力を受信する第２局上り光受信ステップと、
該第２局よりも上り下流側にある上り下流局が、前段の局から出力された該上り副信号光の出力に基づき復旧を検出する上り下流局上り光検出ステップと、
該上り下流局が、該上り下流局上り光検出ステップにおける該検出により、該上り主信号光，該上り副信号光，該下り主信号光および該下り副信号光のうちの少なくとも一つを調整して出力する上り下流局折り返しステップと、
該第２局が、該上り下流局折り返しステップにおける調整に基づき復旧を検出して該下り主信号光を正常レベルに戻して出力するとともに、該下り副信号光に含まれる光レベルに関する制御信号を付加して出力する第２局下り主信号光出力ステップと、
該第１局が、該第２局下り主信号光出力ステップにて調整された該下り副信号光に基づき復旧を検出して該上り主信号光の出力を開始する第１局復旧ステップとをそなえて構成されたことを特徴とする、光レベル制御方法。
【請求項３】
該第１局復旧ステップが、
該第１局が、該復旧を、該下り副信号光に含まれる光レベルに関する制御信号と該下り副信号光の出力とに基づいて検出するように構成されたことを特徴とする、請求項１又は請求項２記載の光レベル制御方法。
【発明の詳細な説明】
【０００１】
【発明の属する技術分野】
本発明は、例えば波長多重光伝送システムに用いて好適な、光レベル制御方法に関する。
【０００２】
【従来の技術】
近年、高速データ通信等は、著しく通信トラフィックが増大しており、長距離伝送をするために、波長多重光方式（ＷＤＭ：Wavelength Division Multiplexing）を用いた波長多重光伝送ネットワークシステム（以下、光伝送システムと称することがある）の需要が高まっている。この光伝送システムにおいては、しばしば、起点局から中継局、中継局から中継局又は中継局から終端局といった局同士の距離が、それぞれ、６００ｋｍを超える。そのため、光伝送路の損失による減衰を考慮し光の出力レベルを大幅に増幅させることによって、光伝送システムは、運用されている。
【０００３】
この長距離の光伝送システムにおいて、光ファイバ（以下、単にファイバと称することがある）等の光伝送路に障害が生じた場合、光の出力レベルが大きいため、障害箇所にて漏洩する光が、障害復旧に従事する作業者に、不適切な影響を与える可能性がある。この不適切な影響を与えないようにする制御方式および制御方法は、レーザセーフティと呼ばれている。
【０００４】
このレーザセーフティの意図は、ファイバ障害における人体への影響を最小限にとどめることであり、これを実現するため、ＡＰＲ（Automatic Power Reduction），ＡＬＳ（Automatic Laser Shutdown），ＡＰＳＤ（Automatic Power Shutdown）方式の３方式が採用されており、これらの各方式について図２５〜図２８を用いて説明する。
【０００５】
図２５は光伝送システムの構成図であり、この図２５に示す光伝送システム２００ａは波長多重光を伝送するものであって、ＷＤＭ端局１００ａ，１００ｄと、中継局１００ｂ，１００ｃと、光伝送路１１０，１１２，１１４と、光伝送路１１１，１１３，１１５とをそなえて構成されている。
以下の説明において、上りとは図面の左側から右側に向かう方向とし、下りとは図面の右側から左側に向かう方向とする。また、この光伝送システム２００ａは、主信号光（波長多重された光であって、以下、ＷＤＭ光と称することがある）とＯＳＣ光（Optical Supervisory Channel：副信号光）の２種類の光が伝送されるようになっている。
【０００６】
このＯＳＣ光とは、監視制御用チャネル又はパイロット光として機能している。また、ＯＳＣ光は、ＷＤＭ光の伝送に影響を与えないように伝送され、かつ、光増幅器（以下、単にアンプと称することがある）を通過しないで伝送されるのでＷＤＭ光の出力レベルと比較して非常に小さな出力である。
ここで、ＷＤＭ端局１００ａは、複数の異なる波長（λ1〜λn）を有する光を波長多重し、そのＷＤＭ光を光伝送路１１０に出力するとともに、中継局１００ｂから出力された下り光を分離し、その分離された波長（λ1〜λn）を有する光をそれぞれ出力するものである。
【０００７】
また、中継局１００ｂは、光伝送路１１０のＷＤＭ光を中継増幅して光伝送路１１２に出力するとともに、光伝送路１１３のＷＤＭ光を中継増幅して光伝送路１１１に出力するものである。中継局１００ｃは、中継局１００ｂと同様な中継増幅するものである。
さらに、ＷＤＭ端局１００ｄは、ＷＤＭ端局１００ａと同様に、上りのＷＤＭ光を分離してその分離された波長（λ1〜λn）を有する光をそれぞれ出力するとともに、複数の異なる波長（λ1〜λn）を有する光を波長多重し、そのＷＤＭ光を光伝送路１１５に出力するものである。
【０００８】
これにより、ＷＤＭ端局１００ａの上りについては、図２５の左側から波長（λ1〜λn）を有する光が、合波器（ＭＵＸ）２０において、波長多重されたＷＤＭ光がアンプ（ＴＡ−１；Transmission Amplifier-1）３０にて増幅され、また、ＯＳＣ光送信部１０にてＯＳＣ光が出力される。さらに、合波器１２にてその増幅されたＷＤＭ光とＯＳＣ光とが合波され、光伝送路１１０に出力されるのである。
【０００９】
また、ＷＤＭ端局１００ａの下りについては、図２５に示す中継局１００ｂから出力された下り光（ＷＤＭ光およびＯＳＣ光）が、分波器１３にて分波され、その分波されたＯＳＣ光がＯＳＣ光受信部１５に入力され、また、他方の光は、ＷＤＭ光がアンプ３１（ＲＡ−１；Receiving Amplifier-1）にて増幅される。そして、その増幅されたＷＤＭ光は、分離部（ＤＭＵＸ）２１にて分離されて各波長（λ1〜λn）がそれぞれ出力されるようになっている。
【００１０】
以下、図２６〜図２８を用いて、光伝送路に障害が発生した場合に、その障害を各局がどのようにして検出するかを説明し、その後、その障害が回復し光伝送システム２００ａ〜２００ｃの運用が復旧する方式について、３種類の方式を例にして説明する。
併せて、これら図２６〜図２８に示す３種類の方式における復旧方式について説明する。上記３種類以外のレーザセーフティを用いて、光伝送システムにおける光出力を停止したり、あるいは、光出力レベルを低下させた後は、障害復旧後に正常な光出力レベルに戻す復旧動作が必要となる。
【００１１】
図２６はＡＰＲ方式を説明するための図である。この図２６に示すＷＤＭ端局１００ａと中継局１００ｂとの間のＡと付した箇所にて、ファイバ障害が発生している。この障害の原因がファイバ断線の場合は、中継局１００ｂは、障害箇所Ａよりも下流にあるので、中継局１００ｂ内のアンプ（ＩＬＡ１；In-Line Amplifier1）３２と、ＯＳＣ光受信部１１とは、いずれも、ＷＤＭ端局１００ａからのＷＤＭ光およびＯＳＣ光を受信できない。
【００１２】
ここで、ＡＰＲ方式を用いたレーザセーフティは、次のように行なわれる。まず、中継局１００ｂのアンプ３２が、ＷＤＭ光を受信できないことを表すＷＤＭ−ＬＯＬ（Wavelength Division Multiplexing-Loss of Light）を受信する。このＷＤＭ−ＬＯＬ受信に基づき、アンプ３２は、制御信号（ＡＰＲ  Ｃｏｎｔｒｏｌ，ＬＯＬ−ｄｅｔｅｃｔ）を出力することによって、下りファイバに接続されたアンプ（ＩＬＡ２；In-Line Amplifier2）３３の光出力レベルを低下させる。従って、ＷＤＭ端局１００ａにおける下りファイバに接続されたアンプ３１は、その下りＷＤＭ光の入力レベルを低下される。
【００１３】
そして、アンプ３１は、この下りＷＤＭ光のレベル低下（ＷＤＭ−ＩＬＤ[Input Level Down 又は Inputted-light Level Down]）を検出し、このＷＤＭ−ＩＬＤ検出に基づき、上りファイバに接続されたアンプ３０のＷＤＭ−信号光出力レベルを低下させるのである。このように、障害箇所Ａから漏洩する光出力レベルも低下する。また、このＡＰＲ方式における一連の動作によって、障害箇所Ａから漏洩する光出力レベルが抑制されるのである。
【００１４】
一方、ファイバが復旧した後のＡＰＲ制御復旧は２種類あり、一方は自動復旧によるものであり、他方は、作業者がその局に行なって、強制的にアンプ３０からＷＤＭ光を出力させる手動復旧によるものである。
自動復旧について説明すると、所定時間が経過するとアンプ３０から試験的にＷＤＭ光が出力され、ファイバ復旧すると、第２局のアンプ３２がＷＤＭ−ＬＯＬ復旧を検出し、アンプ３２はアンプ３３に対して制御信号を入力する。これにより、ＷＤＭ光出力レベルが正常レベルに戻される。同様に、第１局のアンプ３１のＷＤＭ−ＩＬＤ復旧により、アンプ３０に対して制御信号が出力され、ＷＤＭ光出力レベルが正常レベルに戻る。また、ファイバ障害が依然復旧していない場合、アンプ３０から出力される試験光は、後段のアンプ３２に到達せず、予め設定した時間が経過した後においても、アンプ３０はアンプ３１からのＡＰＲ信号を受信し続けることとなり、アンプ３０は、ファイバ障害が依然復旧していないと認識し、送信する光レベルを抑制する。
【００１５】
図２７はＡＬＳ方式を説明するための図である。この図２７に示すＡと付した箇所にてファイバ障害が発生し、また、上述のＡＰＲ方式と同様に、Ａでの障害がファイバ断線障害であるとする。
ここで、ＡＬＳ方式を用いたレーザセーフティは次のようになる。まず、障害箇所Ａよりも下流の中継局１００ｂ内の上りファイバに接続されたアンプ３２が、ＷＤＭ光を受信できないこと（ＷＤＭ−ＬＯＬ）を検出し、自局のＷＤＭ光出力を停止する。そして、中継局１００ｂのアンプ３２ではＷＤＭ−ＬＯＬ検出により、次の中継局１００ｃへのＷＤＭ光出力を停止する。
【００１６】
さらに、下流の中継局１００ｃ内のアンプ（ＩＬＡ３；In-Line Amplifier3）３４も、光伝送路１１２のＷＤＭ光を受信できないこと（ＷＤＭ−ＬＯＬ）を検出すると、自局の上りＷＤＭ光出力を停止する。そして、最下流に位置するＷＤＭ端局１００ｄ内のアンプ（ＲＡ−２；Receiving Amplifier-2）３６は、上りＷＤＭ光を受信できないこと（ＷＤＭ−ＬＯＬ）を検出すると、対向する光伝送路１１５（下りファイバ）に接続されたアンプ（ＴＡ−２；Transmission Amplifier-2）３７の出力を停止させる。
【００１７】
従って、ＷＤＭ−ＬＯＬが、各局にて検出されて、段階的に下流局に伝わるようになっている。
また、下り光伝送路についても、上り光伝送路と同様に、中継局１００ｃのアンプ３５および中継局１００ｂのアンプ３３は、それぞれ、ＷＤＭ−ＬＯＬ検出により、自局の下りＷＤＭ光の出力を停止する。そして、下り光伝送路の最下流に設けられたＷＤＭ端局１００ａのアンプ３１は、光伝送路上のアンプ３０の出力を停止させる。
【００１８】
このように、障害箇所Ａから漏洩する光出力が遮断される。また、このＡＬＳ方式の一連の動作により、障害箇所Ａから漏洩するＷＤＭ光出力が遮断されるのである。
また、ファイバ復旧によるＡＬＳ制御復旧も２種類であって、一方は自動復旧であり、他方は作業者がその局に行なって強制的にアンプ３０からのＷＤＭ光を出力する手動復旧である。
【００１９】
自動復旧に着目すると、所定時間経過した後に、アンプ３０から試験的にＷＤＭ光が出力され、ファイバ復旧している場合、中継局１００ｂのアンプ３２にてＷＤＭ−ＬＯＬ復旧により、中継局１００ｃへのＷＤＭ光を正常レベルにして出力する。そして、ＷＤＭ端局１００ｄのアンプ３６にてＷＤＭ−ＬＯＬ復旧により、アンプ３７に対する制御信号によりＷＤＭ光レベルが正常レベルになる。
【００２０】
同様に、中継局１００ｃ，中継局１００ｂおよびＷＤＭ端局１００ａが、それぞれ、ＷＤＭ光を正常に出力し、ＷＤＭ端局１００ａのアンプ３０のＷＤＭ光が正常レベルになる。また、所定時間が経過すると、アンプ３０からのＷＤＭ光出力レベルが低下し、ファイバ障害が依然復旧していない場合は、ＡＬＳ制御復旧は行なわれない。
【００２１】
このように、自動復旧は、この低下しているＷＤＭ光出力レベルを、一定時間経過後に一旦、試験的に正常な出力に戻すように動作する。そして、障害箇所が復旧された場合は、下流の中継局１００ｂが有するアンプ３２が、ＷＤＭ光を受信するので、アンプ３２は、中継局１００ｂが有するアンプ３３について制御されているＷＤＭ光出力レベル低下状態を解除する。
【００２２】
この解除により、ＷＤＭ端局１００ａ内のアンプ３１は正常出力レベルのＷＤＭ光を受信することが可能となり、ＷＤＭ端局１００ａ内のアンプ３０の光出力レベルが正常レベルに復旧するのである。
図２８はＡＰＳＤ方式を説明するための図であり、この図２８においても、ファイバ障害の箇所がＡで表されており、また、その障害はファイバの断線による障害であるとする。
【００２３】
ＡＰＳＤ方式においては、障害箇所Ａよりも上り下流の中継局１００ｂが有する、上りファイバに接続されたアンプ３２が、ＷＤＭ−ＬＯＬを検出すると、アンプ３２は、下りファイバに接続されたアンプ３３のＷＤＭ光出力を停止させるようになっている。
従って、このＡＰＳＤ方式は、ＡＬＳ方式のように、次の局には波及せずにファイバ障害が発生した区間においてのみ、ＷＤＭ光出力が停止する。
【００２４】
これにより、ＷＤＭ端局１００ａの下りファイバに接続されたアンプ３１は、ＷＤＭ−ＬＯＬを検出し、この検出に基づき、上りファイバに接続されたアンプ３０を停止させるのである。そのため、障害箇所Ａから漏洩するＷＤＭ光出力が遮断される。
このＡＰＳＤ方式における一連の動作により、やはり、障害箇所Ａから漏洩するＷＤＭ光出力が遮断されるのである。
【００２５】
なお、ファイバ復旧によるＡＰＳＤ制御復旧はＡＰＲ制御復旧と同じである。このように、自動復旧と手動復旧とのいずれも、上述した３種類のレーザセーフティ（ＡＰＲ，ＡＬＳ，ＡＰＳＤ方式）のそれぞれに適用できる。
また、特開平９−４６２９７号公報（以下、引用文献と称する）には、光ケーブルに切断等が生じたときに安全確保のため出力光を切断する光出力遮断システムであって中継局を有する長距離光伝送に適したものを提供する技術が開示されている。
【００２６】
【発明が解決しようとする課題】
しかしながら、ＡＰＲ方式は、各アンプから出力されるＷＤＭ光の出力レベルを下げたり、受信側のアンプがＷＤＭ光の入力レベル低下を検出するときに、各局間の距離や収容している波長の数等によって、ＷＤＭ光のレベルが変動してしまう。従って、光伝送システム２００ａ〜２００ｃの作業者は、適切なＷＤＭ光のレベルダウンの閾値を設定できないという課題がある。
【００２７】
さらに、送信側のアンプが、ＷＤＭ光のレベルを低減させて出力していても、受信側が受信してもＩＬＤを検出できないおそれがあり、そのような場合は、ＡＰＲ方式による制御が不能になる。
そのため、ファイバ障害によってＡＰＲ方式による制御が正常に動作しない場合には、ファイバ障害が発生していないのにもかかわらず、ＡＰＲ方式の制御が動作してしまうおそれがあるという課題がある。
【００２８】
また、作業者は、各局が設けられた場所に赴いて、ＷＤＭ光出力レベルを測定し、閾値をそれぞれ設定しなければならないが、この設定は、経年変化等による誤差を考慮する必要があり、設定値の選択は、非常に困難であるという課題がある。
加えて、上記３方式に共通であるが、光伝送路において障害が発生しているときに、自動復旧動作が開始されると、作業者は、直接光を照射されることがある。従って、レーザセーフティを維持することが困難であるという課題がある。また、光伝送システム２００ａ〜２００ｃは、基本的には、ＷＤＭ光の出力を停止させずに、運用させていく必要がある。換言すれば、簡単に光伝送システム２００ａ〜２００ｃの運用が停止するのを回避する必要がある。
【００２９】
さらに、従来の復旧時には、一定期間ごとに、強制的にＷＤＭ光を出力するようになっているため、やはり、ファイバ障害を修復する作業者は、ＷＤＭ光を照射されるおそれがあるという課題がある。
加えて、上記の引用文献には、局内装置にてファイバのコネクタ等が抜けただけでも、アンプの出力が停止してしまうので、光伝送路における実際のファイバ断が発生していないのにもかかわらず、局内装置におけるコネクタ抜け等による擬似的なファイバ断に対して反応し、ＷＤＭ光の伝送を停止してしまうおそれがあるという課題がある。
【００３０】
本発明は、このような課題に鑑み創案されたもので、光レベル制御方法において、ＷＤＭ光レベルの変動に対して柔軟に光出力レベルを制御でき、かつ、経年変化等により生ずる誤差によらずに設定値を選択でき、また、誤動作を回避することを第１の目的とする。
また、ＷＤＭ光の出力を停止させずに運用すべく、光伝送路において障害が発生しているときに、その障害を修復している作業者がＷＤＭ光に照射される可能性を回避することを第２の目的とする。
【００３１】
【課題を解決するための手段】
このため、本発明の光レベル制御方法は、光伝送路における障害区間の両側にある第１局と第２局とにおいて、上り主信号光および上り副信号光を有する上り光と下り主信号光および下り副信号光を有する下り光とに関する、光レベル制御方法であって、第２局が、上り副信号光の出力を受信する第２局上り光受信ステップと、第２局が下り副信号光を調整して出力するフィードバックステップと、第１局が、フィードバックステップにて調整された下り副信号光に基づき復旧を検出して上り主信号光の出力を開始する第１局復旧ステップと、第２局が、第１局復旧ステップにて得られた上り主信号光と上り副信号光とに基づいて上り主信号光の復旧を判定する第２局復旧判定ステップと、第２局が、第２局復旧判定ステップにおいて復旧と判定された場合は下り主信号光を正常レベルに戻して出力するとともに、復旧と判定されない場合は下り主信号光の出力を停止し続ける第２局復旧ステップとをそなえて構成されたことを特徴としている（請求項１）。
【００３２】
また、本発明の光レベル制御方法は、第２局が、上り副信号光の出力を受信する第２局上り光受信ステップと、第２局よりも上り下流側にある上り下流局が、前段の局から出力された上り副信号光の出力に基づき復旧を検出する上り下流局上り光検出ステップと、上り下流局が、上り下流局上り光検出ステップにおける検出により、上り主信号光，上り副信号光，下り主信号光および下り副信号光のうちの少なくとも一つを調整して出力する上り下流局折り返しステップと、第２局が、上り下流局折り返しステップにおける調整に基づき復旧を検出して下り主信号光を正常レベルに戻して出力するとともに、下り副信号光に含まれる光レベルに関する制御信号を付加して出力する第２局下り主信号光出力ステップと、第１局が、第２局下り主信号光出力ステップにて調整された下り副信号光に基づき復旧を検出して上り主信号光の出力を開始する第１局復旧ステップとをそなえて構成されたことを特徴としている（請求項２）。
【００３３】
また、前記第１局復旧ステップが、第１局が、復旧を、下り副信号光に含まれる光レベルに関する制御信号と下り副信号光の出力とに基づいて検出するように構成されてもよい（請求項３）。
さらに、本発明に関連する技術の光レベル制御方法は、第２局が、上り副信号光レベルと、上り副信号光に含まれる制御信号を認識することとのうちの少なくとも一つにより、光伝送路の障害を検出する第２局障害検出ステップと、第２局が、第２局障害検出ステップにおける検出により、下り副信号光と下り主信号光とのうちの少なくとも一方を調整して出力する第２フィードバックステップと、第１局が、第２フィードバックステップにおいて調整された下り副信号光と下り主信号光とのうちの少なくとも一方に基づいて、上り主信号光を調整して出力する第１局上り光調整ステップとをそなえて構成されたことを特徴としている。
【００３４】
そして、前記第２局障害検出ステップが、さらに、第２局が、検出を、第２局よりも上り下流側に設けられた上り下流局が出力した下り副信号光の受信断を認識することと、下り副信号光に含まれる下り制御信号を認識することとのうちの少なくとも一つにより、行なうように構成することができる。
【００３５】
【発明の実施の形態】
以下、図面を参照して本発明の実施の形態を説明する。
（Ａ）本発明の第１実施形態の説明
図１は本発明の第１実施形態に係る光伝送システムの構成図である。この図１に示す光伝送システム２００ａは、波長多重光を伝送するものであって、ＷＤＭ端局１００ａ，１００ｄと、中継局１００ｂ，１００ｃと、光伝送路１１０，１１２，１１４と、光伝送路１１１，１１３，１１５とをそなえて構成されている。この光伝送システム２００ａは、主信号光（ＷＤＭ光）と副信号光（ＯＳＣ光）との２種類の光が合波されて伝送されるようになっている。
【００３６】
また、光伝送路（上り光伝送路）１１０，１１２，１１４は上り用であり、光伝送路（下り光伝送路）１１１，１１３，１１５は下り用である。さらに、これらは、それぞれ、ファイバであって、このファイバが、各局に設けられたアンプと接続され、増幅された光が送受信されるようになっている。
また、ＷＤＭ光とは、ＷＤＭ端局１００ａ，１００ｄ間および中継局１００ｂ，１００ｃとの間において、線形中継伝送されるものであって、複数の異なる波長を有する光が多重されている。また、ＷＤＭ光の出力の大きさは、ＯＳＣ光のそれに比較して、非常に大きい。
【００３７】
そして、ＯＳＣ光とは、ＷＤＭ端局１００ａおよび中継局１００ｂ間，中継局１００ｂおよび中継局１００ｃ間，中継局１００ｃおよびＷＤＭ端局１００ｄ間にて終端されるものであって、単一又は２波の光をいう（ＯＳＣ光とＷＤＭ光とは別の領域の光波長を選択して割り当てられている）。このＯＳＣ光は、主信号光の伝送に影響を与えず、光増幅されずに、監視制御用又はパイロット光として用いられ、その制御フォーマットは、各局間において、同一のものが使用されている。
【００３８】
以下の説明では、伝送方向については、上りは図１の左側から右側に向かう方向とし、下りは図１の右側から左側に向かう方向とする。これら以外の図面についても同様である。なお、これらの伝送形態については、後述する第２実施形態、第３実施形態および各変形例においても、同様である。
図１に示すＷＤＭ端局１００ａは、複数の異なる波長（λ1〜λn）を有する光を波長多重し、その波長多重されたＷＤＭ光とＯＳＣ光とを光伝送路１１０に出力するとともに、中継局１００ｂから出力された下り光を分離しその分離されたＷＤＭ光を分波し波長（λ1〜λn）をそれぞれ有する光を出力し分離された他方のＯＳＣ光を復調するものである。
【００３９】
そして、このＷＤＭ端局１００ａは、上り伝送用として、多重部２０と、光増幅器（ＴＡ−１）３０と、ＯＳＣ光送信部（ＯＳＣ）１０と、合波器１２とをそなえ、下り伝送用として、ＯＳＣ光受信部１５と、分波器１３と、光増幅器（ＲＡ−１）３１と、分離部２１とをそなえるとともに、ＡＰＲ制御部（APR Control Box（２））３９をそなえて構成されている。
【００４０】
さらに、中継局１００ｂは、ＷＤＭ端局１００ａにファイバにより、接続され、ＷＤＭ端局１００ａから出力された上り光を受信し線形増幅して、その増幅した上り光を光伝送路１１２に出力するとともに、中継局１００ｃから出力された下り光を受信し線形増幅して、その増幅した下り光を光伝送路１１１に出力するものである。
【００４１】
そして、中継局１００ｂは、上り伝送用として、分波器１３と、ＯＳＣ光受信部１１と、光増幅器（ＩＬＡ１）３２と、合波器１２とをそなえ、下り伝送用として、分波器１３と、ＯＳＣ光受信部（ＯＳＣ）１５と、光増幅器（ＩＬＡ２）３３と、ＯＳＣ光送信部（ＯＳＣ）１４と、合波器１２とをそなえるとともに、ＡＰＲ制御部（APR Control Box（１））３８とをそなえて構成されている。
【００４２】
これらＷＤＭ端局１００ａと中継局１００ｂとの詳細について、図２を参照して説明する。図２は本発明の第１実施形態に係る２局のブロック図であり、この図２に示す符号で、図１に示すものと同一のものは、同一の機能又は同様の機能を有するものである。
まず、ＷＤＭ端局１００ａのＡＰＲ制御部３９は、ＯＳＣ光受信部１５，アンプ３１，ＯＳＣ光送信部１０，アンプ３０に接続され、下り光に含まれる制御信号に基づいて所定の制御信号を上り光に付加するものである。
【００４３】
ここで、ＡＰＲ制御信号とは、光伝送システム２００ａにおいて、何らかの異常が発生したことを示すパイロット信号であり、このＡＰＲ制御信号がＡＰＲ制御部３９から出力されている間は、光伝送路１１０におけるＷＤＭ光レベルは低下したままの状態にされる。
また、ＡＰＲ制御信号が、正常のＯＳＣ光に付加されたものが、ＯＳＣ−ＡＰＲ信号光である。
【００４４】
そして、ＡＰＲ制御部３９は、ＯＳＣ光受信部１５から出力されるＯＳＣ−ＡＰＲ検出信号とアンプ３１から出力されるＷＤＭ−ＩＬＤ検出信号との２種類の信号を入力され、これらの信号を例えば論理積することにより、光伝送路の断を検出するのである。
また、多重部２０は、複数の異なる波長（λ1〜λn）を有する光を波長多重するものである。光増幅器３０（以下、単にアンプと称することがある）は、多重部２０から出力されたＷＤＭ光を光増幅するものであり、例えばＥＤＦＡ（Erbium-Doped Fiber Amplifier）により、その機能が実現される。また、このアンプ３０は、光検波用のフォトダイオード（ＰＤ）５０と、光出力用のレーザダイオード（ＬＤ）５１とを有する。そして、多重部２０から出力された上り光は、ＰＤ５０にて検波されるとともに、ＬＤ５１にて発光されるＷＤＭ光とカップリングされて出力されるようになっている。さらに、このＬＤ５１の出力は、ＡＰＲ制御部３９から出力されるＡＰＲ制御信号により、そのレベルを可変にできる。なお、ＡＰＳＤと付されたものは、他の制御信号を表すものであって、後述する第３実施形態にて、説明する。
【００４５】
次に、ＯＳＣ光送信部１０は、ＡＰＲ制御部３９からのＡＰＲ制御信号を入力され、その制御信号をＯＳＣ光に付加してその付加されたＯＳＣ光を送信するものである。この機能は、光受信断検出をも行ないうる制御回路７０と、この制御回路７０に接続され制御回路７０からの電気信号を光信号に変換する電気／光変換器（Ｅ／Ｏ  Ｍｏｄ）７１とによって実現される。すなわち、ＯＳＣ光送信部１０は、光信号情報や各種のオーバーヘッド（ＯＨ；Over Head）情報や装置内情報を伝達するようになっている。
【００４６】
また、合波器（合波ＣＰＬ）１２は、アンプ３０から出力されるＷＤＭ光とＯＳＣ光送信部１０から出力されるＯＳＣ光とを合波して、その合波したＷＤＭ光を光伝送路１１０に出力するものである。
一方、下り伝送側については、分波器（分波ＣＰＬ）１３は、光伝送路１１１を伝送する下り光から、波長がそれぞれ異なるＷＤＭ光とＯＳＣ光とを分波して出力するものである。
【００４７】
そして、ＯＳＣ光受信部１５は、分波器１３から出力されたＯＳＣ光を受信し、このＯＳＣ光から制御信号を抽出して、ＯＳＣ光に関する情報（ＯＳＣ情報）をＡＰＲ制御部３９に入力するものである。このＯＳＣ情報は、本実施形態では、ＯＳＣ−ＡＰＲ検出信号（ＯＳＣ−ＡＰＲ  Ｄｅｔｅｃｔ）を意味し、後述する他の実施形態および各変形例では、別の制御信号として入力するようになっている。
【００４８】
また、この機能は、光信号を電気信号に変換するとともに光入力断を検出する光／電気変換器（Ｏ／Ｅ  Ｍｏｄ）７３と、この光／電気変換器７３に接続され光／電気変換器７３により、変換された電気信号から制御信号を抽出しその制御信号をＡＰＲ制御部３９に入力する制御回路７２とによって実現される。
さらに、アンプ３１は、分波器１３から分波されたＷＤＭ光を増幅して出力するとともに、ＷＤＭ光の受信レベルに関する情報（ＷＤＭ情報）をＡＰＲ制御部３９に入力するものであって、ＰＤ５０およびＬＤ５１を有する。このＷＤＭ情報は、本実施形態では、ＷＤＭ−ＩＬＤ検出信号（ＷＤＭ−ＩＬＤ  Ｄｅｔｅｃｔ）を意味し、後述する他の実施形態および各変形例では、別の制御信号として入力されることがある。
【００４９】
ここで、ＷＤＭ−ＩＬＤ（Wavelength Division Multiplexing-ILD）は、ＷＤＭ光レベルが所定値以下になった状態を意味し、本実施形態においては、ＷＤＭ光が作業者に影響が無い程度のレベルまで低下した場合をＷＤＭ−ＩＬＤとする。
具体的には、アンプ３１は、ＷＤＭ光の受信レベルが、所定レベルよりも低下すると、ＷＤＭ−ＩＬＤを検出したことを伝達すべく、ＷＤＭ−ＩＬＤ検出信号として、ＡＰＲ制御部３９に入力するのである。すなわち、ＰＤ５０にて検波した受信レベルによって、受信レベルが測定されるようになっている。また、分波器１３からの出力は、２分岐されて、その一方が、ＬＤ５１から出力されるＷＤＭ光と合波されて出力されるのである。
【００５０】
従って、ＷＤＭ端局１００ａにおいて、伝送されるＷＤＭ光が、アンプ３０，３１においてそれぞれ増幅されて出力される。そして、光伝送路上に設けられた他の局においても、それぞれ、独自にＷＤＭ光は、増幅されて出力されるようになっている。
また、アンプ３１からのＷＤＭ情報と、ＯＳＣ光受信部１０からのＯＳＣ情報との双方ともにＡＰＲ制御部３９に入力されなければ、アンプ３０の出力は停止されないようになっている。換言すれば、片方だけの情報（ＷＤＭ情報又はＯＳＣ情報のうちいずれか一方）だけでは、アンプ３０の動作は停止されないので、この光伝送システム２００ａが容易に停止しないように保護されるのである。
【００５１】
さらに、分離部２１は、このアンプ３１から出力されたＷＤＭ光を分波し、複数の異なる波長（λ1〜λn）を有する光を出力するものである。
これにより、図１において、ＷＤＭ端局１００ａに入力された波長（λ1〜λn）を有する光のそれぞれは、多重部２０において、波長多重され、その波長多重されたＷＤＭ光は、アンプ３０において、増幅される。また、合波器１２において、その増幅されたＷＤＭ光とＯＳＣ光送信部１０から出力されたＯＳＣ光とが合波されて、その合波された光が、光伝送路１１０に出力される。また、アンプ３０の出力レベルは、ＡＰＲ制御部３９からのＡＰＲ制御信号により、制御され、ＯＳＣ光送信部１０は、ＡＰＲ制御部３９からのＡＰＲ制御信号をＯＳＣ光に付加するようになっている。
【００５２】
一方、下り光については、分波器１３において、光伝送路１１１を伝送する下り光から、ＷＤＭ光とＯＳＣ光とがそれぞれ分波され、ＷＤＭ光は、アンプ３１にて増幅されるとともに、出力レベルが所定レベルよりも下回った場合にはＷＤＭ−ＩＬＤ検出信号が出力される。さらに、分離部２１において、ＷＤＭ光が分波されて波長（λ1〜λn）を有する光がそれぞれ出力される。
【００５３】
また、ＯＳＣ光受信部１１において、その下りＯＳＣ光からＯＳＣ−ＡＰＲ信号光を受信すると、その受信を伝達すべく、ＯＳＣ−ＡＰＲ検出信号を、ＡＰＲ制御部３９に送信する。
そして、ＡＰＲ制御部３９において、ＯＳＣ光受信部１１からのＯＳＣ−ＡＰＲ検出信号とアンプ３１からのＷＤＭ−ＩＬＤ検出信号とに基づいて、上りファイバ側のアンプ３０と、上りファイバ側のＯＳＣ光送信部１０とに対して、それぞれ、ＡＰＲ制御信号を出力する。
【００５４】
続いて、図２の右側の中継局１００ｂについて説明するが、中継局１００ｂ内のもので、上述したものと同一の符号を有するものは、同一のもの又は同様の機能を有するものであるので、更なる説明を省略する。
まず、中継局１００ｂのＡＰＲ制御部３８は、上り用のＯＳＣ光受信部１１，アンプ３２，ＯＳＣ光送信部１０と、下り用のＯＳＣ光受信部１５，アンプ３３，ＯＳＣ光送信部１４とにそれぞれ接続されている。このＡＰＲ制御部３８は、上り光に含まれる制御信号に基づいてアンプ３２，アンプ３３の出力レベルを制御するとともに、ＯＳＣ光送信部１０，ＯＳＣ光送信部１４に付加する制御信号を出力するものである。すなわち、ＡＰＲ制御部３８は、上り下りの両伝送路から到来する光を用いて、それぞれ、上り下りの両ＷＤＭ光出力レベルと両ＯＳＣ光の制御信号の付加とを行なえるようになっている。
【００５５】
具体的には、ＡＰＲ制御部３８は、上りについて、ＯＳＣ光受信部１１から出力されるＯＳＣ情報とアンプ３２から出力されるＷＤＭ情報とを入力され、これらの情報を有する信号を例えば論理積することにより、制御信号をＯＳＣ光送信部１４とアンプ３３とにそれぞれ入力する論理ゲート３８ａ（ＡＮＤ）を有する。
また、ＡＰＲ制御部３８は、下りについて、ＯＳＣ光受信部１５から出力されるＯＳＣ情報とアンプ３３から出力されるＷＤＭ情報とを入力され、これらの情報を有する信号を例えば論理積することにより、制御信号をＯＳＣ光送信部１０とアンプ３２とにそれぞれ入力する論理ゲート３８ｂ（ＡＮＤ）を有する。
【００５６】
なお、これらの制御信号は、いずれも、本実施形態では、ＡＰＲ制御信号であるが、後述する他の実施形態および各変形例においては、別の制御信号が出力される。
従って、ＷＤＭ端局１００ａが、多重部２０，アンプ３０，上りＯＳＣ光送信部１０，上り合波器１２，ＯＳＣ光受信部１５，上り分波器１３，アンプ３１，分離部２１，ＡＰＲ制御部３９をそなえ、中継局１００ｂが、上り分波器１３，ＯＳＣ光受信部１１，アンプ３２，上り合波器１２，下り分波器１３，ＯＳＣ光受信部１５，アンプ３３，ＯＳＣ光送信部１４，下り合波器１２，ＡＰＲ制御部３８をそなえて構成されている。
【００５７】
さらに、アンプ３２は、分波器１３から分波されたＷＤＭ光を増幅して出力するとともに、ＷＤＭ光の受信レベルに関する情報（ＷＤＭ情報）をＡＰＲ制御部３８に入力するものであって、ＰＤ５０およびＬＤ５１を有する。このＷＤＭ情報は、本実施形態では、ＷＤＭ−ＬＯＬ検出信号（ＷＤＭ−ＬＯＬ  Ｄｅｔｅｃｔ）を意味し、後述する他の実施形態および各変形例では、別の制御信号として入力されることがある。
【００５８】
このＷＤＭ−ＬＯＬ信号とは、ＷＤＭ光が検出できない状態をいい、検出できない状態とは、全く光を受信できない場合およびほぼ零に近い受信レベルの場合をいう。
そして、ＯＳＣ光受信部１１は、分波器１３から出力されたＯＳＣ光を受信し、このＯＳＣ光から制御信号を抽出して、ＯＳＣ光に関する情報（ＯＳＣ情報）をＡＰＲ制御部３８に入力するものである。このＯＳＣ情報は、本実施形態では、ＯＳＣ−ＬＯＬ検出信号（ＯＳＣ−ＬＯＬ  Ｄｅｔｅｃｔ）を意味し、後述する他の実施形態および各変形例では、別の制御信号として入力するようになっている。
【００５９】
このＯＳＣ−ＬＯＬ（Optical Supervisory Channel-Loss of Light）とは、ＯＳＣ光が検出できない状態をいう。この検出できない状態とは、全く光を受信できない場合およびほぼ零に近い受信レベルの場合をいう。
一方、下り伝送側のＯＳＣ光送信部１４は、ＡＰＲ制御部３８からのＡＰＲ制御信号を入力され、その制御信号をＯＳＣ光に付加してその付加されたＯＳＣ光を送信するものであって、制御回路７０と、電気／光変換器（Ｅ／Ｏ  Ｍｏｄ）７１とをそなえて構成されている。
【００６０】
そして、ＯＳＣ光受信部１５は、分波器１３から出力されたＯＳＣ光を受信し、このＯＳＣ光から制御信号を抽出して、ＯＳＣ光に関する情報（ＯＳＣ情報）をＡＰＲ制御部３８に入力するものであって、光／電気変換器７３と、制御回路７２とをそなえて構成されている。
さらに、アンプ３３は分波器１３から分波されたＷＤＭ光を増幅して出力するとともに、ＷＤＭ光の受信レベルに関する情報（ＷＤＭ情報）をＡＰＲ制御部３８に入力するものであって、ＰＤ５０およびＬＤ５１を有する。このＷＤＭ情報は、本実施形態では、ＷＤＭ−ＬＯＬ検出信号を意味し、後述する他の実施形態および各変形例では、別の制御信号として入力されることがある。
【００６１】
これらのアンプ３２，３３とは、それぞれ、上りについての中継機能と制御機能と、下りについての中継機能と制御機能とを有する。すなわち、図１において、中継局１００ｂに入力された上り光のうちＷＤＭ光は、アンプ３２において増幅され、また、下り光のうちＷＤＭ光は、アンプ３３において増幅される。そして、上り下りの合波器１２のそれぞれにおいて、その増幅されたＷＤＭ光とＯＳＣ光送信部１０，１４のそれぞれから出力されたＯＳＣ光とが合波されて、その合波された光が、光伝送路１１２，１１０にそれぞれ出力される。また、上りのアンプ３２と下りのアンプ３３とは、それぞれ、ＷＤＭ光が受信できないと、ＷＤＭ−ＬＯＬ検出信号として、ＡＰＲ制御部３９に入力する。
【００６２】
同様に、アンプ３３に、下り光に含まれるＷＤＭ光およびＯＳＣ光についても制御される。
加えて、アンプ３２，３３と、ＯＳＣ光受信部１１，１５とのそれぞれが、協働することにより、上り光および下り光のレベル制御機能が発揮される。すなわち、アンプ３２から出力されるＷＤＭ−ＬＯＬ検出信号と、ＯＳＣ光受信部１１から出力されるＯＳＣ−ＬＯＬ検出信号との双方が、それぞれ、ＡＰＲ制御部３９に入力されて始めて、下りのアンプ３３の出力レベルが制御され、かつ、ＯＳＣ光送信部１２にＡＰＲ制御信号が付加される。
【００６３】
同様に、アンプ３３からのＷＤＭ−ＬＯＬ検出信号と、ＯＳＣ光受信部１５からのＯＳＣ−ＬＯＬ検出信号との双方が、それぞれ、ＡＰＲ制御部３９に入力され、上りアンプ３２の出力レベルが制御され、かつ、ＯＳＣ光送信部１０にＡＰＲ制御信号が付加される。
従って、やはり、ＷＤＭ−ＬＯＬ検出信号と、ＯＳＣ−ＬＯＬ検出信号との双方が入力されないと、アンプ３３の出力は停止されないので、この光伝送システム２００ａが容易に停止しないように保護されるのである。
【００６４】
このように、ＷＤＭ端局１００ａと中継局１００ｂとのそれぞれが、受信したＷＤＭ光を分波器１３によりＷＤＭ光とＯＳＣ光とに分波し、また、それぞれその光レベルを監視している。また、対向局側への送信アンプを制御し、光出力停止または光出力レベルダウンを行ない、またＯＳＣ光送信部１０，１４をも制御して、光出力停止または情報の伝達を行なうことにより、ファイバ障害となっている送信アンプの光出力の停止または光出力レベルダウンが確実に行なわれる。
【００６５】
さらに、図１に示す中継局１００ｃは、中継局１００ｂとほぼ同様のものである。中継局１００ｃは、中継局１００ｂにファイバにより、接続され、中継局１００ｂから出力された上り光を受信し線形増幅して、その増幅した上り光を光伝送路１１４に出力するとともに、ＷＤＭ端局１００ｄから出力された下り光を受信し線形増幅して、その増幅した下り光を光伝送路１１３に出力するものである。
【００６６】
そして、中継局１００ｃは、上り伝送用として、分波器１３と、ＯＳＣ光受信部１１と、光増幅器（ＩＬＡ３）３４と、合波器１２とをそなえ、下り伝送用として、分波器１３と、ＯＳＣ光受信部（ＯＳＣ）１５と、光増幅器（ＩＬＡ４；In-Line Amplifier4）３５と、ＯＳＣ光送信部（ＯＳＣ）１４と、合波器１２とをそなえるとともに、ＡＰＲ制御部３９とをそなえて構成されている。
【００６７】
このアンプ３４は、中継局１００ｂのアンプ３２と同様のものであり、また、アンプ３５も、中継局１００ｂのアンプ３３と同様であるので、重複した説明を省略する。ここで、上述したものと同一の符号を有するものは、同一のもの又は同様の機能を有するものであるので、更なる説明を省略する。
さらに、ＷＤＭ端局１００ｄは、複数の異なる波長（λ1〜λn）を有する光を波長多重し、その波長多重されたＷＤＭ光とＯＳＣ光とを光伝送路１１５に出力するとともに、中継局１００ｃから出力された上り光を分離しその分離されたＷＤＭ光を分波し波長（λ1〜λn）をそれぞれ有する光を出力し分離された他方のＯＳＣ光を復調するものである。
【００６８】
そして、このＷＤＭ端局１００ｄは、上り伝送用として、ＯＳＣ光受信部１１と、分波器１３と、光増幅器（ＲＡ−２  以下、アンプという）３６と、分離部２２とをそなえるとともに、下り伝送用として、多重部２３と、光増幅器（ＴＡ−２）３７と、ＯＳＣ光送信部（ＯＳＣ）１４と、合波器１２とをそなえ、ＡＰＲ制御部３９とをそなえて構成されている。
【００６９】
ここで、アンプ３６は、ＷＤＭ端局１００ａのアンプ３１と同様のものであり、また、アンプ３７もＷＤＭ端局１００ａのアンプ３０と同様であるので、重複した説明を省略する。なお、上述したものと同一の符号を有するものは、同一のもの又は同様の機能を有するものであるので、更なる説明を省略する。
上述の構成により、本実施形態における、光レベル制御方法について、障害検出方法と復旧方法とをそれぞれ、図１，図３，図４を参照しながら詳述する。以下、説明の便宜上、ＷＤＭ端局１００ａを第１局、中継局１００ｂを第２局と称し、また、中継局１００ｃを第３局、ＷＤＭ端局１００ｄを第４局と称することがある。
【００７０】
まず、正常時は、図１に示す最上流の第１局から上り光が送信され、第２局，第３局によって中継され、最下流の第４局に到達し、また、同様に、第４局からの下り光が、第２局，第３局をそれぞれ介して、第１局に送信される。
次に、障害発生時について、図３〜図５を参照して説明する。図３は本発明の第１実施形態に係る障害発生時の動作を説明するための図であり、図４は本発明の第１実施形態に係る障害検出を説明するためのフローチャートである。
【００７１】
本発明の光レベル制御方法は、光伝送路における障害区間の両側にある第１局と第２局との間において、上り主信号光および上りＯＳＣ光を含む上り光と下り主信号光および下りＯＳＣ光を含む下り光とに関するものである。
まず、図４のステップＡ１において、第２局が、上りＯＳＣ光レベルと、上りＯＳＣ光に含まれる制御信号を認識することとのうちの少なくとも一つにより、光伝送路の障害を検出する（第２局障害検出ステップ）。
【００７２】
ステップＡ２において、この第２局が、第２局障害検出ステップにおける検出により、下りＯＳＣ光と下り主信号光とのうちの少なくとも一方を調整して出力する（第２フィードバックステップ）。
ステップＡ３において、第１局が、第２フィードバックステップにおいて調整された下りＯＳＣ光と下り主信号光とのうちの少なくとも一方に基づいて、上り主信号光を調整して出力する（第１局上り光調整ステップ）。また、この第１局上り光調整ステップでは、第１局が、検出を、上り制御信号，上り主信号光の出力レベルおよび上りＯＳＣ光の出力レベルの２つを用いて行なうようになっている。
【００７３】
具体的には、図３に示す第１局のアンプ３０と第２局のアンプ３２との間において、ファイバ障害（Ａと付したところ）が発生すると、上りＷＤＭ光および上りＯＳＣ光のいずれもが伝送が遮断される。アンプ３２がＷＤＭ−ＬＯＬ検出と、第１局からのＯＳＣ−ＬＯＬ検出とにより、ＡＰＲ制御部３９が、アンプ３３とＯＳＣ光送信部１０とにＡＰＲ制御信号を入力する。また、このＡＰＲ制御信号により、対向側送信用のアンプ３３のＷＤＭ光出力レベルを低下させると同時に、ＯＳＣ光にＯＳＣ−ＡＰＲ信号を付加する。
【００７４】
第１局のアンプ３１はＷＤＭ−ＩＬＤ検出と第２局からのＯＳＣ−ＡＰＲ検出とにより、光伝送路１１０の断を知ることができ、ＡＰＲ制御部３８にてＷＤＭ−ＩＬＤとＯＳＣ−ＡＰＲにより、アンプ３０にＡＰＲ制御信号を入力する。このＡＰＲ制御信号により、アンプ３０は、ＷＤＭ光出力レベルを低下させて、以後、このＡＰＲ制御信号が削除されるまで、低下させ続けるのである。従って、ファイバ障害のために切断されたファイバから出力されるＷＤＭ光出力レベルが低下する。
【００７５】
一方、上りファイバ側のＯＳＣ信号送信部１０は、ＡＰＲ制御部３９から送信されたＡＰＲ制御信号の受信により、上りＯＳＣ光にＡＰＲ制御信号を付加し、ＯＳＣ−ＡＰＲ信号光として出力し続ける。
従って、上記第２局上り光断検出ステップにおいて、第２局が、検出を、下りＯＳＣ光の受信断を認識することと、下りＯＳＣ光に含まれる下り制御信号を認識することとにより行なうように構成されたことになる。
【００７６】
このように、上述した一連の光出力レベルの制御により、自動でＷＤＭ光のレベルを低下させることができる。
次に、ファイバ障害復旧時について、図５を参照して説明する。図５は本発明の第１実施形態に係る復旧方法を説明するためのフローチャートである。本発明の光レベル制御方法は、光伝送路における障害区間の両側にある第１局と第２局とにおいて、上り主信号光および上りＯＳＣ光を有する上り光と下り主信号光および下りＯＳＣ光を有する下り光とに関するものである。
【００７７】
まず、ステップＢ１において、第２局が、上りＯＳＣ光の出力を受信する（第２局上り光受信ステップ）。
そして、ステップＢ２において、第２局が下りＯＳＣ光を調整して出力する（フィードバックステップ）。
続いて、ステップＢ３において、第１局が、フィードバックステップにて調整された下りＯＳＣ光に基づき復旧を検出して上り主信号光の出力を開始する（第１局復旧ステップ）。また、この第１局復旧ステップにおいて、第１局が、復旧を、下り主信号光のレベルが所定レベルを示す閾値信号（ＷＤＭ−ＩＬＤ）と、下りＯＳＣ光の復旧（ＯＳＣ−ＡＰＲ）とに基づいて検出する。
【００７８】
さらに、ステップＢ４において、第２局が，第１局復旧ステップにて得られた上り主信号光と上りＯＳＣ光とに基づいて上り主信号光の復旧を判定する（第２局復旧判定ステップ）。
そして、ステップＢ５にて、第２局が、第２局復旧判定ステップにおいて復旧と判定された場合は下り主信号光を正常レベルに戻して出力するとともに（ステップＢ５ｘ）、復旧と判定されない場合は、ステップＢ５ｙにて、下り主信号光の出力を停止し続ける（第２局復旧ステップ）。
【００７９】
具体的には、ファイバ障害が復旧すると、第２局は、第１局からのＷＤＭ光とＯＳＣ光の受信信号とが得られる。まず、第２局における上りファイバ側のアンプ３２は、第１局からのＷＤＭ光を自動的に受信し、ＷＤＭ−ＬＯＬではなくなったことを検出することにより、ＡＰＲ制御部３８へ出力しているＷＤＭ−ＬＯＬ検出信号を停止する。このＷＤＭ光は、第１局において、ＡＰＲ制御信号により、アンプ３０からの出力レベルが抑制されているものの、出力は停止していないため、障害復旧後、第２局が自動的にＷＤＭ光を受信できるのである。
【００８０】
また、ファイバ障害が復旧すると、第２局における上りファイバ側のＯＳＣ光受信部１１は、第１局からの上りＯＳＣ光を自動的に受信し、ＯＳＣ−ＬＯＬではなくなったことを検出することにより、ＡＰＲ制御部３８へ出力しているＯＳＣ−ＬＯＬ検出信号を停止する。
このＯＳＣ光は、第１局において、ＡＰＲ制御信号により、ＯＳＣ−ＡＰＲ信号となっているものの、出力は停止していないため、障害復旧後、第２局が自動的にＯＳＣ光を受信できるのである。
【００８１】
そして、ＡＰＲ制御部３９が、ＷＤＭ−ＬＯＬ復旧とＯＳＣ−ＬＯＬ復旧とをそれぞれ検出することにより、ＡＰＲ制御信号を削除する。このＡＰＲ制御信号の削除により、対向側送信用のアンプ３３のＷＤＭ光出力レベルが正常レベルに戻されると同時にＯＳＣ−ＡＰＲが削除される。
第１局のアンプ３１はＷＤＭ−ＩＬＤ復旧と第２局からのＯＳＣ−ＡＰＲ削除とを検出し、ＡＰＲ制御部３９が、ＡＰＲ制御信号を削除する。このＡＰＲ制御信号の削除により、アンプ３０のＷＤＭ光出力レベルが正常レベルに戻る。
【００８２】
従って、このファイバ障害復旧により、第１局と第２局との間におけるＷＤＭ光の出力レベルが自動復旧する。また、上記２つのＬＯＬ検出信号が停止することにより、ＡＰＲ制御部３８は、下りファイバ側のアンプ３３およびＯＳＣ光送信部１４に対して出力していたＡＰＲ制御信号を停止し、ＡＰＲ制御信号を受信しなくなった下りファイバ側のアンプ３３は、ＷＤＭ光出力レベルを正常レベルに回復させる。
【００８３】
一方、ＡＰＲ制御信号を受信しなくなった下りファイバ側のＯＳＣ光送信部１４は、ＯＳＣ光にＡＰＲ信号を付加することを停止し、正常のＯＳＣ光に回復する。
また、受信光から分波されたＷＤＭ光を受信した、下りファイバ側のアンプ３１は、正常レベルに回復したＷＤＭ光を受信することにより、ＷＤＭ−ＩＬＤの検出ができなくなる。これにより、ＡＰＲ制御部３９に対して出力していたＷＤＭ−ＩＬＤ検出信号を停止する。
【００８４】
一方、受信光から分波されたＯＳＣ光を受信した、下りファイバ側のＯＳＣ光受信部１１は、ＯＳＣ−ＡＰＲからＡＰＲが削除された、正常のＯＳＣ光を受信することにより、ＡＰＲ制御部３９に対して出力していたＯＳＣ−ＡＰＲ検出信号を停止する。
このように、本実施形態の制御は、ＡＰＲ方式において、ファイバ障害時に受信局でＯＳＣ光の受信ＬＯＬが検出された場合に、対向局へのアンプ出力レベルを低下させ、さらに、対向局のＯＳＣ光送信部１４に対してＡＰＲ制御信号を付加して、対向局送信元のアンプ出力レベルを低下させている。すなわち、受信局がＯＳＣ光の受信ＬＯＬとアンプの受信ＬＯＬとの両方を検出した場合に、対向局送信元のアンプ出力レベルを低下させるように制御される。
【００８５】
また、このように、上記２つの検出信号、ＷＤＭ−ＩＬＤ検出信号と、ＯＳＣ−ＡＰＲ検出信号が停止することにより、ＡＰＲ制御部３９は、上りファイバ側のアンプ３０およびＯＳＣ光送信部１０に対して出力していたＡＰＲ制御信号が停止される。これにより、ＯＳＣ光だけを受信しただけで自動復旧を再開することを回避できる。
【００８６】
さらに、このように、ＡＰＲ制御信号を受信しなくなった上りファイバ側のアンプ３０は、ＷＤＭ光出力レベルを正常レベルに回復させるとともに、ＡＰＲ制御信号を受信しなくなった上りファイバ側のＯＳＣ光送信部１０は、ＯＳＣ光にＡＰＲ信号を付加することを停止し、正常のＯＳＣ光に回復する。
そして、上述した一連の信号光レベル制御により、ファイバ障害箇所Ａより漏洩する（出力される）ＷＤＭ光のレベルを低下させ、その後、ファイバ障害が復旧した際には、自動的にＷＤＭ光のレベルを正常レベルに回復させることが可能となる。
【００８７】
このようにして、ＡＰＲ制御部３８，３９は、それぞれ、片方の検出信号を受信した場合は、ＡＰＲ制御信号を削除しないので、光伝送システム２００ａの運用がより安全に行なえる。
（Ａ１）本発明の第１実施形態の第１変形例の説明
上記第１実施形態の変形例を、第１変形例から第３変形例にて説明する。
【００８８】
図６は本発明の第１実施形態の第１変形例に係る光制御方法を説明するための図である。この図６に示す光伝送システム２００ａは、波長多重光を伝送するものであって、上述したものと同一の符号を有するものは同一のもの又は同様の機能を有するものなので、更なる説明を省略する。さらに、第１局はＷＤＭ端局１００ａを、第２局は中継局１００ｂを、第３局は中継局１００ｃを、第４局はＷＤＭ端局１００ｄをそれぞれ表す。
【００８９】
このような構成によって、第１局のアンプ３０と第２局のアンプ３２との間において、ファイバ障害（Ａと付したところ）が発生すると、アンプ３２はＷＤＭ−ＬＯＬ検出信号と第１局からのＯＳＣ−ＬＯＬ検出信号とを、ＡＰＲ制御部３８に出力する。
そして、ＡＰＲ制御部３８は、これらの信号により、対向側送信用のアンプ３３とＯＳＣ光送信部１４とにそれぞれ、ＡＰＲ制御信号を出力する。このＡＰＲ制御信号により、アンプ３３は、そのＷＤＭ光出力レベルを低下させると同時に、下りＯＳＣ光の送信を停止する。
【００９０】
第１局においては、アンプ３１によるＷＤＭ−ＩＬＤ検出と、ＯＳＣ光受信部１５による第２局からのＯＳＣ−ＬＯＬ検出とが、それぞれ、ＡＰＲ制御部３９に入力される。また、ＡＰＲ制御部３９は、アンプ３０にＡＰＲ制御信号を出力し、アンプ３０はこのＡＰＲ制御信号により上りＷＤＭ光出力レベルを低下させる。従って、ファイバ障害のために切断されたファイバから出力されるＷＤＭ光出力レベルが低下する。
【００９１】
次に、ファイバ障害復旧時は、第２局は、第１局からの上りＷＤＭ光と、上りＯＳＣ光とをそれぞれ受信できるため、ＷＤＭ−ＬＯＬ復旧とＯＳＣ−ＬＯＬ復旧とが得られる。そして、第２局のＡＰＲ制御部３８は、ＷＤＭ−ＬＯＬ復旧とＯＳＣ−ＬＯＬ復旧とにより、ＡＰＲ制御信号を削除する。このＡＰＲ制御信号により、ＡＰＲ制御部３８は、対向側送信用のアンプ３３のＷＤＭ光出力レベルと下りＯＳＣ光の出力レベルとを正常レベルに戻す。
【００９２】
一方、第１局のアンプ３１は、ＷＤＭ−ＩＬＤの検出と第２局からのＯＳＣ−ＬＯＬ復旧の検出とを行ない、これらの検出信号をそれぞれ、ＡＰＲ制御部３９に入力する。そして、ＡＰＲ制御部３９は、ＷＤＭ−ＩＬＤ復旧とＯＳＣ−ＬＯＬ復旧とに基づき、ＡＰＲ制御信号を削除する。また、アンプ３０とＯＳＣ光送信部１０とは、それぞれ、このＡＰＲ制御信号の削除により、ＷＤＭ光出力レベルを正常レベルに戻す。
【００９３】
従って、ファイバ障害復旧により、第１局と第２局との間におけるＷＤＭ光信号の光出力レベルが自動復旧する。
このように、受信局でＯＳＣ光の受信ＬＯＬとアンプの受信ＬＯＬとの両方を検出した場合に、対向局へのＯＳＣ光を出力停止することにより、対向局送信元のアンプ出力レベルを低下させるように制御される。
【００９４】
このようにして、ＡＰＲ制御部３８，３９が、それぞれ、２系統の検出信号を受信したときに始めて、ＡＰＲ制御信号を削除するので、光伝送システム２００ａの運用がより安全に行なえる。
（Ａ２）本発明の第１実施形態の第２変形例の説明
本変形例においては、第１局および第２局のそれぞれが、ＷＤＭ光とＯＳＣ光との双方を用いて制御する代わりに、ＯＳＣ光のみを用いて制御する方法について説明する。
【００９５】
図７は本発明の第１実施形態の第２変形例に係る光制御方法を説明するための図である。この図７に示す光伝送システム２００ａは、波長多重光を伝送するものであって、上述したものと同一の符号を有するものは同一のもの又は同様の機能を有するものなので、更なる説明を省略する。さらに、第１局はＷＤＭ端局１００ａを、第２局は中継局１００ｂを、第３局は中継局１００ｃを、第４局はＷＤＭ端局１００ｄをそれぞれ表す。ここで、障害箇所から下流は、点線で表示されておりファイバ断を表している。なお、実線は、光が伝送していることを表す。また、各局の光出力は、それぞれ、独立して行なわれている。
【００９６】
なお、本変形例は、ＯＳＣ光のみを用いて制御するため、第１実施形態および第１変形例にて説明したＡＰＲ制御部３８，３９は、設けられていない。
このような構成によって、第１局のアンプ３０と第２局のアンプ３２との間において、ファイバ障害（Ａと付したところ）が発生する。
この場合、第２局は、第１局からの上りＯＳＣ光の受信ができず、入力断（ＯＳＣ−ＬＯＬ）を検出する。そして、第２局は、対向側送信用のアンプ３３のＷＤＭ光出力レベルを低下させると同時に、下りＯＳＣ光にＡＰＲ制御信号（ＯＳＣ−ＡＰＲ）を付加する。
【００９７】
一方、第１局において、ＯＳＣ光受信部１５は第２局からのＯＳＣ−ＡＰＲを検出し、ＡＰＲ制御信号をアンプ３０とＯＳＣ光送信部１０とにそれぞれ出力する。これにより、アンプ３０のＷＤＭ光出力レベルが低下し、ファイバ障害のために切断されたファイバから出力されるＷＤＭ光出力レベルが低下する。
従って、本発明の光レベル制御方法は、第２局が、上りＯＳＣ光の受信断を認識することにより、光伝送路の障害を検出する（第２局障害検出ステップ）。
【００９８】
そして、第２局が、第２局障害検出ステップにおける検出により、下りＯＳＣ光を調整して（ＯＳＣ−ＡＰＲを付加して）出力する（フィードバックステップ）。
さらに、第１局が、フィードバックステップにおいて調整された下りＯＳＣ光に基づいて、上り主信号光を調整して（低下させて）出力する（第１局上り光調整ステップ）。
【００９９】
ファイバ障害復旧時は、第２局は第１局からの上りＯＳＣ光を受信できるため、ＯＳＣ−ＬＯＬ復旧を検出し、対向側送信用のアンプ３３のＷＤＭ光出力レベルを正常レベルに戻すと同時に、下りＯＳＣ光に含まれるＯＳＣ−ＡＰＲを削除する。
一方、第１局は、第２局から出力された下りＯＳＣ光からＯＳＣ−ＡＰＲが削除されていることを検出し、アンプ３０のＷＤＭ光出力レベルを正常レベルに戻す。
【０１００】
このファイバ障害復旧により、第１局と第２局との間におけるＷＤＭ光信号の光出力レベルが自動復旧する。
すなわち、第２局が、上りＯＳＣ光に含まれる光レベルに関する制御信号（ＯＳＣ−ＬＯＬ復旧）を検出し、上りＷＤＭ光を正常レベルに戻して出力する（第２局復旧ステップ）。
【０１０１】
そして、第２局が下りＯＳＣ光を調整して（ＯＳＣ−ＡＰＲを削除して）出力する（フィードバックステップ）。
続いて、第１局が、フィードバックステップにて調整された下りＯＳＣ光に基づき復旧を検出して上り主信号光の出力を開始する（第１局復旧ステップ）。
このようにして、ＷＤＭ光の出力レベルの代わりに、ＯＳＣ光を用いて制御しているので、閾値の設定等の煩雑な作業が不要になる。
【０１０２】
（Ａ３）本発明の第１実施形態の第３変形例の説明
本変形例も、第１局および第２局のそれぞれが、ＯＳＣ光のみを用いて制御する方法について説明する。
図８は本発明の第１実施形態の第３変形例に係る光制御方法を説明するための図である。この図８に示す光伝送システム２００ａは、波長多重光を伝送するものであって、上述したものと同一の符号を有するものは同一のもの又は同様の機能を有するものなので、更なる説明を省略する。さらに、第１局はＷＤＭ端局１００ａを、第２局は中継局１００ｂを、第３局は中継局１００ｃを、第４局はＷＤＭ端局１００ｄをそれぞれ表す。また、点線は光が出力されていることを表し、実線は光が断になっていることを表す。
【０１０３】
このような構成によって、第１局のアンプ３０と第２局のアンプ３２との間において、ファイバ障害（Ａと付したところ）が発生すると、第２局は第１局からのＯＳＣ−ＬＯＬを検出し、対向側送信用のアンプ３３のＷＤＭ光出力レベルを低下させると同時に下りＯＳＣ光の送信出力を停止する。
また、第１局は、第２局からのＯＳＣ−ＬＯＬを検出し、アンプ３０のＷＤＭ光出力レベルを低下させて、ファイバ障害のために切断されたファイバから出力されるＷＤＭ光出力レベルが低下する。
【０１０４】
従って、本発明の光レベル制御方法は、第２局が、上りＯＳＣ光の受信断を認識することにより、光伝送路の障害を検出し（第２局障害検出ステップ）、第２局が、第２局障害検出ステップにおける検出により、下りＯＳＣ光にＯＳＣ−ＡＰＲを付加して出力し（フィードバックステップ）、さらに、第１局が、フィードバックステップにおいて調整された下りＯＳＣ光に基づいて、上り主信号光を低下させて出力している（第１局上り光調整ステップ）。
【０１０５】
ファイバ障害復旧時は、第１局からの上りＯＳＣ光の受信とが得られるため、ＯＳＣ−ＬＯＬ復旧検出し対向側送信用のアンプ３３のＷＤＭ光出力レベルを正常レベルに戻すと同時にＯＳＣ光の送信出力を正常レベルに戻す。第２局からのＯＳＣ−ＬＯＬ復旧を検出し、アンプ３０のＷＤＭ光出力レベルを正常にすることにより、ファイバ障害復旧により、第１局と第２局との間のＷＤＭ光信号の光出力レベルが自動復旧する。
【０１０６】
従って、本発明の光レベル制御方法は、第２局が、上りＯＳＣ光に含まれる光レベルに関する制御信号（ＯＳＣ−ＬＯＬ復旧）を検出し、上りＷＤＭ光を正常レベルに戻して出力し（第２局復旧ステップ）、第２局が下りＯＳＣ光を調整して（ＯＳＣ−ＡＰＲを削除して）出力し（フィードバックステップ）、さらに、第１局が、フィードバックステップにて調整された下りＯＳＣ光に基づき復旧を検出して上り主信号光の出力を開始する（第１局復旧ステップ）。
【０１０７】
このように、対向局へのＯＳＣ光の出力を停止することにより、対向局送信元のアンプ出力レベルを低下させるように制御される。
このようにして、ＷＤＭ光の出力レベルの代わりに、ＯＳＣ光を用いて制御しているので、閾値の設定等の煩雑な作業を行なう必要がなくなり、また、光伝送システム２００ａの運用がより安全に行なえる。
【０１０８】
（Ｂ）本発明の第２実施形態の説明
本実施形態は、レーザセーフティの制御方式として、ＡＬＳ方式を用いている。このＡＬＳ方式は、下流局がＷＤＭ−ＬＯＬを検出すると、自局の上りＷＤＭ光出力を停止し、これにより、ＷＤＭ−ＬＯＬが、各下流局にて次々に検出されて段階的に下流局に伝わるようになっている。そして、最下流に位置するＷＤＭ端局１１０ｄが、ＷＤＭ−ＬＯＬを検出すると、対向側のアンプ３７の出力を停止させるのである。
【０１０９】
図９は本発明の第２実施形態に係る光伝送システムの構成図である。この図９に示す光伝送システム２００ｂは、波長多重光を伝送するものであって、ＷＤＭ端局１１０ａ，１１０ｄと、中継局１１０ｂ，１１０ｃと、光伝送路１１０，１１２，１１４と、光伝送路１１１，１１３，１１５とをそなえて構成されている。また、上述したものと同一の符号を有するものは同一のもの又は同様の機能を有するものなので、更なる説明を省略する。また、点線は光が出力されていることを表し、実線は光が断になっていることを表す。
【０１１０】
そして、図９に示すＷＤＭ端局１１０ａは、複数の異なる波長（λ1〜λn）を有する光を波長多重し、その波長多重されたＷＤＭ光とＯＳＣ光とを光伝送路１１０に出力するとともに、中継局１１０ｂから出力された下り光を分離しその分離されたＷＤＭ光を分波し波長（λ1〜λn）をそれぞれ有する光を出力し分離された他方のＯＳＣ光を復調するものである。このＷＤＭ端局１１０ａは、上記のＷＤＭ端局１００ａとほぼ同一であるが、上記のＡＰＲ制御部３９の代わりにＡＬＳ制御部（ALS Control Box（２））４１を有する。
【０１１１】
このＡＬＳ制御部４１は、ＯＳＣ光受信部１５，アンプ３１，ＯＳＣ光送信部１０，アンプ３０に接続され、下り光に含まれる制御信号に基づいて所定の制御信号を上り光に付加するものである。
ここで、ＡＬＳ制御信号とは、光伝送システム２００ａの下流局に対してＷＤＭ光の停止を通知する信号である。そして、障害箇所よりも下流局の光増幅器が、ＷＤＭ光を受信できないこと（ＷＤＭ−ＬＯＬ）を検出し、自局のＷＤＭ光出力を停止する。また、ＡＬＳ制御信号が、正常のＯＳＣ光に付加されたものが、ＯＳＣ−ＡＬＳ信号光である。
【０１１２】
そして、ＡＬＳ制御部４１は、ＯＳＣ光受信部１５から出力されるＯＳＣ−ＡＬＳ検出信号とアンプ３１から出力されるＷＤＭ−ＬＯＬ検出信号との２種類の信号を入力され、これらの信号を例えば論理積することにより、光伝送路の断を検出する。
さらに、中継局１１０ｂは、ＷＤＭ端局１１０ａにファイバにより、接続され、ＷＤＭ端局１１０ａから出力された上り光を受信し線形増幅して、その増幅した上り光を光伝送路１１２に出力するとともに、中継局１１０ｃから出力された下り光を受信し線形増幅して、その増幅した下り光を光伝送路１１１に出力するものである。
【０１１３】
この中継局１１０ｂが、第１実施形態における中継局１００ｂと異なる点は、上り側のＯＳＣ光受信部１１およびＯＳＣ光送信部１０の対と、下り側のＯＳＣ光受信部１５およびＯＳＣ光送信部１２の対とが、それぞれ、独立している。従って、中継局１１０ｂは、上り光を受信して、障害発生を検出しても、自局の対向側送信用のアンプ３３の出力レベルを調整せずに、ＷＤＭ端局１１０ｄが送信した下り光により、制御されるようになっている。
【０１１４】
同様に、中継局１１０ｃは、中継局１１０ｂとほぼ同様のものであって、中継局１１０ｂにファイバにより接続され、中継局１１０ｂから出力された上り光を受信し線形増幅して、その増幅した上り光を光伝送路１１４に出力するとともに、ＷＤＭ端局１１０ｄから出力された下り光を受信し線形増幅して、その増幅した下り光を光伝送路１１３に出力するものである。
【０１１５】
さらに、ＷＤＭ端局１１０ｄは、複数の異なる波長（λ1〜λn）を有する光を波長多重し、その波長多重されたＷＤＭ光とＯＳＣ光とを光伝送路１１５に出力するとともに、中継局１１０ｃから出力された上り光を分離しその分離されたＷＤＭ光を分波し波長（λ1〜λn）をそれぞれ有する光を出力し分離された他方のＯＳＣ光を復調するものである。
【０１１６】
図１０は本発明の第２実施形態に係る３局のブロック図であり、この図１０に示す符号で、上述したものと同一のものは、同一の機能又は同様の機能を有する。
この図１０に示すＷＤＭ端局１１０ａのＯＳＣ光受信部１５は、ＯＳＣ光に関する情報（ＯＳＣ情報）をＡＬＳ制御部４１に入力する。このＯＳＣ情報は、本実施形態では、ＯＳＣ−ＡＬＳ検出信号を意味する。また、アンプ３１は、ＷＤＭ光の受信レベルに関する情報（ＷＤＭ情報）として、ＷＤＭ−ＬＯＬ検出信号をＡＬＳ制御部４１に入力するようになっている。
【０１１７】
そして、ＡＬＳ制御部４１は、ＯＳＣ光受信部１５から出力されるＯＳＣ−ＡＬＳ検出信号とアンプ３１から出力されるＷＤＭ−ＬＯＬ検出信号との２種類の信号を入力され、これらの信号を例えば論理積することにより、光伝送路の断を検出する。
また、図１０に示す中継局１１０ｂのＯＳＣ光受信部１５は、ＡＬＳ制御信号を抽出し、ＯＳＣ光送信部１４とアンプ３３とのそれぞれに対してそのＡＬＳ制御信号を受信したことを通知するようになっている。なお、中継局１１０ｃも、この中継局１１０ｂと同一の構成であり、重複した説明を省略する。
【０１１８】
さらに、図１０に示すＷＤＭ端局１１０ｄのＯＳＣ光受信部１１は、ＯＳＣ光に関する情報（ＯＳＣ情報）をＡＬＳ制御部４０に入力する。このＯＳＣ情報は、やはり、ＯＳＣ−ＡＬＳ検出信号である。また、アンプ３３は、ＷＤＭ光の受信レベルに関する情報（ＷＤＭ情報）として、ＷＤＭ−ＬＯＬ検出信号をＡＬＳ制御部４０に入力する。
【０１１９】
そして、ＡＬＳ制御部４０は、ＯＳＣ光受信部１１から出力されるＯＳＣ−ＡＬＳ検出信号とアンプ３３から出力されるＷＤＭ−ＬＯＬ検出信号との２種類の信号を入力され、これらの信号を例えば論理積することにより、光伝送路の断を検出する。
これにより、図１０の上りについて、光伝送路１１０が正常の場合には、ＷＤＭ端局１１０ａが波長多重したＷＤＭ光とＯＳＣ光とからなる上り光は、中継局１１０ｂの分波器１３において、ＷＤＭ光とＯＳＣ光とに分波される。
【０１２０】
そして、ＯＳＣ光は、ＯＳＣ光受信部１１において検波され制御信号が抽出され、その制御信号は、再度、ＯＳＣ光送信部１０に入力される。また、アンプ３２において、ＷＤＭ光が増幅され、合波器１２において、アンプ３２から出力されるＷＤＭ光とＯＳＣ光送信部１０から出力されるＯＳＣ光とが合波されて、その合波されたＷＤＭ光が光伝送路１１４に出力される。
【０１２１】
次に、その出力された上り光は、中継局１１０ｃにて、中継局１１０ｂと同様な処理されてから、ＷＤＭ端局１１０ｄに入力されるのである。
上り光は、ＷＤＭ端局１１０ｄの分波器１３において、ＷＤＭ光とＯＳＣ光とに分波され、ＯＳＣ光は、ＯＳＣ光受信部１１において受信され、ＷＤＭ光は、アンプ３３において増幅されてから分離部２２を介して出力される。
【０１２２】
さらに、ＯＳＣ光受信部１１からのＯＳＣ情報と、アンプ３３からのＷＤＭ情報とは、それぞれ、ＡＬＳ制御部４０にて論理積されて、その結果が、ＯＳＣ光送信部１４とアンプ３７とのそれぞれに対して出力される。
一方、下りについても、上りと同様である。
従って、やはり、ＡＬＳ制御部４０，４１は、ＷＤＭ情報と、ＯＳＣ情報との双方が入力されないと、アンプ３７，３１の出力は停止されないので、この光伝送システム２００ａが容易に停止しないように保護されるのである。
【０１２３】
上述の構成により、本実施形態における、光レベル制御方法について、障害検出方法と復旧方法とを、図１１，図１２を参照しながらそれぞれ詳述する。
図１１は本発明の第２実施形態に係る障害発生時の動作を説明するための図である。また、第１局はＷＤＭ端局１１０ａを、第２局は中継局１１０ｂを、第３局は、中継局１１０ｃを、第４局はＷＤＭ端局１１０ｄをそれぞれ表す。また、点線は光が出力されていることを表し、実線は光が断になっていることを表す。
【０１２４】
障害が発生したときの障害検出については、第１実施形態（図４参照）における内容と同様である。具体的には、図１１に示す第１局のアンプ３０と第２局のアンプ３２との間において、ファイバ障害（Ａと付したところ）が発生すると、アンプ３２は第１局からのＯＳＣ−ＬＯＬを検出し、第３局のアンプ３２に対して、ＩＬＡ１−ＷＤＭ光出力（アンプ３２によるＷＤＭ光出力）を停止し、ＯＳＣ−ＡＬＳを上りＯＳＣ光に付加する。
【０１２５】
同様に、第３局は、第２局からのＯＳＣ−ＡＬＳを検出し、第４局に対して、ＩＬＡ３−ＷＤＭ光出力（アンプ３４によるＷＤＭ光出力）を停止し、ＯＳＣ−ＡＬＳを上りＯＳＣ光に付加する。
第４局のアンプ３６は、ＷＤＭ−ＬＯＬと第３局からのＯＳＣ−ＡＬＳとを双方とも検出し、ＡＬＳ制御部４０は、これらＷＤＭ−ＬＯＬとＯＳＣ−ＡＬＳとを入力され、ＡＬＳ制御信号を、対向側送信用のアンプ３７とＯＳＣ光送信部１４とにそれぞれ、出力する。
【０１２６】
そして、このＡＬＳ制御信号を入力されたアンプ３７は、下りＷＤＭ光出力を停止し、また、ＡＬＳ制御信号を入力されたＯＳＣ光送信部１４は、下りＯＳＣ光にＯＳＣ−ＡＬＳを付加する。
第３局は、第４局からのＯＳＣ−ＡＬＳを検出し、第２局へのＩＬＡ４−ＷＤＭ光出力（アンプ３５によるＷＤＭ光出力）を停止し、ＯＳＣ−ＡＬＳを下りＯＳＣ光に付加する。また、第２局も同様に動作する。
【０１２７】
第１局において、アンプ３１はＷＤＭ−ＬＯＬを検出し、ＯＳＣ光受信部１５は第２局からのＯＳＣ−ＡＬＳを検出する。また、ＡＬＳ制御部４１は、これらＷＤＭ−ＬＯＬとＯＳＣ−ＡＬＳとにより、ＡＬＳ制御信号をアンプ３０に出力する。このＡＬＳ制御信号により、アンプ３０は、ＷＤＭ光出力を停止し、これにより、ファイバ障害のために切断されたファイバから出力されるＷＤＭ光出力が停止する。
【０１２８】
次に、ファイバ障害復旧時を、図１２を参照して説明する。図１２は本発明の第２実施形態に係る復旧方法を説明するためのフローチャートである。
本発明の光レベル制御方法は、光伝送路における障害区間の両側にある第１局と第２局とにおいて、上り主信号光および上りＯＳＣ光を有する上り光と下り主信号光および下りＯＳＣ光を有する下り光とに関するものである。
【０１２９】
まず、ステップＣ２にて、第２局が、上りＯＳＣ光の出力を受信する（第２局上り光受信ステップ）。
そして、ステップＣ３にて、第２局よりも上り下流側にある上り下流局が、前段の局から出力された上りＯＳＣ光の出力に基づき復旧を検出する（上り下流局上り光検出ステップ）。ここで、上り下流局とは、例えば第３局のことをいい、また、前段の局とは、この場合、第２局のことをいう。
【０１３０】
続いて、ステップＣ４にて、上り下流局が、上り下流局上り光検出ステップにおける検出により、上り主信号光，上りＯＳＣ光，下り主信号光および下りＯＳＣ光のうちの少なくとも一つを調整して出力する（上り下流局折り返しステップ）。
また、この上り下流局折り返しステップにおいて、上り下流局が、復旧を、下り主信号光の出力と下りＯＳＣ光に含まれる光レベルに関する制御信号とに基づいて下りＯＳＣ光を出力する。
【０１３１】
さらに、ステップＣ５にて、第２局が、上り下流局折り返しステップにおける調整に基づき復旧を検出して下り主信号光を正常レベルに戻して出力するとともに、下りＯＳＣ光に含まれる光レベルに関する制御信号を付加して出力する（第２局下り主信号光出力ステップ）。
そして、ステップＣ６にて、第１局が、第２局下り主信号光出力ステップにて調整された下りＯＳＣ光に基づき復旧を検出して上り主信号光の出力を開始する（第１局復旧ステップ）。さらに、この第１局復旧ステップにおいて、第１局が、復旧を、制御信号としての光出力の遮断を示す自動光遮断信号（ＡＬＳ）が削除されていることと、下り主信号光の出力とに基づいて検出するとともに、自動光遮断信号を削除して上り主信号光を正常レベルに戻して出力するようになっている。
【０１３２】
具体的には、第２局は、第１局からの上りＯＳＣ光が得られるため、ＯＳＣ−ＬＯＬ復旧を検出し、第３局へのＩＬＡ１−ＷＤＭ光の出力を再開すると同時に上りＯＳＣ光からＯＳＣ−ＡＬＳを削除する。
第３局において同様の動作が行なわれ、第４局はアンプ３６によりＷＤＭ−ＬＯＬ復旧を検出し、かつ、ＯＳＣ光受信部１１により第３局からのＯＳＣ−ＡＬＳ削除を検出し、これらの検出信号が、それぞれ、ＡＬＳ制御部４０に入力される。そして、このＡＬＳ制御部４０は、これらＷＤＭ−ＬＯＬ復旧とＯＳＣ−ＡＬＳ復旧との双方を例えば論理積を用いて、両方が入力されたときにだけ、ＡＬＳ制御信号が削除される。
【０１３３】
このＡＬＳ制御信号の削除により、対向側送信用のアンプ３７のＷＤＭ光出力レベルが正常レベルに戻され、かつ、下りＯＳＣ光のＯＳＣ−ＡＬＳが削除される。
さらに、第３局は、第４局からのＯＳＣ−ＡＬＳ削除を検出し、ＩＬＡ４−ＷＤＭ光出力レベルを正常レベルに戻す。第２局においても同様の動作が行なわれる。
【０１３４】
そして、第１局において、アンプ３１がＷＤＭ−ＬＯＬ復旧を検出し、また、ＯＳＣ光受信部１５が第２局からのＯＳＣ−ＡＬＳ削除を検出し、これらの検出信号が、ＡＬＳ制御部４１に入力される。
そして、このＡＬＳ制御部４１は、これらＷＤＭ−ＬＯＬ復旧とＯＳＣ−ＡＬＳ復旧とにより、例えば論理積を用いて、双方が入力されたときに始めてＡＬＳ制御信号を削除する。
【０１３５】
このように、送信最終局および対向局送信元でアンプの受信ＬＯＬ検出条件を付加することにより、対向側送信用の元のアンプ出力が停止するように制御される。
また、このように、アンプ３０のＷＤＭ光出力レベルが正常レベルに戻され、また、ファイバ障害復旧により、第１局から第４局までの間のＷＤＭ光信号の光出力レベルが自動復旧する。従って、システムの運用等において、作業者の安全性が維持される。
【０１３６】
このようにして、２箇所以上のファイバ障害において、片方のみ復旧した場合でも安全に自動復旧させることができる。
（Ｂ１）本発明の第２実施形態の第１変形例の説明
本変形例においても、ＡＬＳ方式により、ＷＤＭ−ＬＯＬが、各下流局にて次々に検出されて段階的に下流局に伝わるようになっている。
【０１３７】
図１３は本発明の第２実施形態の第１変形例に係る光制御方法を説明するための図である。この図１３に示す光伝送システム２００ｂは、波長多重光を伝送するものであって、上述したものと同一の符号を有するものは同一のもの又は同様の機能を有するものなので、更なる説明を省略する。さらに、第１局はＷＤＭ端局１１０ａを、第２局は中継局１１０ｂを、第３局は、中継局１１０ｃを、第４局はＷＤＭ端局１１０ｄをそれぞれ表す。また、点線は光が出力されていることを表し、実線は光が断になっていることを表す。
【０１３８】
このような構成によって、第１局のアンプ３０と第２局のアンプ３２との間において、ファイバ障害（Ａと付したところ）が発生すると、アンプ３２は、第１局からのＯＳＣ−ＬＯＬを検出し、第３局に対してＩＬＡ１−ＷＤＭ光出力と上りＯＳＣ光の出力とを停止する。
同様に、第３局は、第２局からのＯＳＣ−ＬＯＬを検出し、第４局に対するＩＬＡ３−ＷＤＭ光出力と上りＯＳＣ光の出力とをいずれも停止する。
【０１３９】
また、第４局はアンプ３６のＷＤＭ−ＬＯＬと第３局からのＯＳＣ−ＬＯＬとを双方とも検出し、ＡＬＳ制御部４０は、ＷＤＭ−ＬＯＬとＯＳＣ−ＬＯＬとにより、ＡＬＳ制御信号を対向側送信用のアンプ３７と、ＯＳＣ光送信部１４とに出力する。このＡＬＳ制御信号により、アンプ３７の下りＷＤＭ光出力と、ＯＳＣ光送信部１４の下りＯＳＣ光の出力がいずれも停止される。
【０１４０】
第３局は、第４局からのＯＳＣ−ＬＯＬを検出し、第２局に対するＩＬＡ４−ＷＤＭ光出力を停止し、ＯＳＣ光出力を停止する。第２局においても同様の動作が行なわれる。
第１局において、アンプ３１によるＷＤＭ−ＬＯＬ検出と、ＯＳＣ光送信部１５による第２局からのＯＳＣ−ＬＯＬ検出とに基づき、ＡＬＳ制御部４１は、これらＷＤＭ−ＬＯＬとＯＳＣ−ＬＯＬにより、ＡＬＳ制御信号をアンプ３０に出力する。アンプ３０は、このＡＬＳ制御信号により、その上りＷＤＭ光出力を停止し、これにより、ファイバ障害のために切断されたファイバから出力される上りＷＤＭ光出力が停止する。
【０１４１】
ファイバ障害復旧時は、第２局は、第１局からの上りＯＳＣ光の受信が得られるため、ＯＳＣ−ＬＯＬ復旧を検出し、第３局に対するＩＬＡ１−ＷＤＭ光出力レベルとＯＳＣ−ＬＯＬ光出力レベルとをそれぞれ正常レベルに戻す。第３局において同様の動作が行なわれる。
第４局は、アンプ３６によるＷＤＭ−ＬＯＬ復旧と、ＯＳＣ光受信部１１による第３局からのＯＳＣ−ＬＯＬ復旧とをそれぞれ検出し、ＡＬＳ制御部４０は、ＷＤＭ−ＬＯＬ復旧とＯＳＣ−ＬＯＬ復旧とにより、ＡＬＳ制御信号を削除する。従って、上り下流局上り光検出ステップにおいて、上り下流局が、復旧を、上り主信号光の出力と上りＯＳＣ光の出力とに基づいて検出するように構成されていることになる。
【０１４２】
このＡＬＳ制御信号により、ＡＬＳ制御部４０は、対向側送信用のアンプ３７のＷＤＭ光出力レベルと、ＯＳＣ−ＬＯＬ光出力レベルとをそれぞれ正常レベルに戻す。
第３局は、第４局からのＯＳＣ−ＬＯＬ復旧を検出し、ＩＬＡ４−ＷＤＭ光出力レベルを正常レベルに戻す。第２局においては同様の動作が行なわれる。
【０１４３】
第１局は、アンプ３１によるＷＤＭ−ＬＯＬ復旧と、ＯＳＣ光受信部１５による第２局からのＯＳＣ−ＬＯＬ復旧とをそれぞれ検出し、ＡＬＳ制御部４１は、これらＷＤＭ−ＬＯＬ復旧とＯＳＣ−ＬＯＬ復旧とにより、ＡＬＳ制御信号を削除する。
このＡＬＳ制御信号により、アンプ３０のＷＤＭ光出力レベルが正常レベルに戻される。このファイバ障害復旧により、第１局から第４局までの間におけるＷＤＭ光信号の光出力レベルが自動復旧する。
【０１４４】
このように、送信最終局および対向局送信元でアンプの受信ＬＯＬ検出条件を付加することにより、対向側送信用の元のアンプ出力が停止するように制御される。
また、このように、アンプ３０のＷＤＭ光出力レベルが正常レベルに戻され、また、ファイバ障害復旧により、第１局から第４局までの間のＷＤＭ光信号の光出力レベルが自動復旧する。従って、システムの運用等において、作業者の安全性が維持される。
【０１４５】
（Ｂ２）本発明の第２実施形態の第２変形例の説明
図１４は本発明の第２実施形態の第２変形例に係る光制御方法を説明するための図である。この図１４に示す光伝送システム２００ｂは、波長多重光を伝送するものであって、上述したものと同一の符号を有するものは同一のもの又は同様の機能を有するものなので、更なる説明を省略する。さらに、第１局はＷＤＭ端局１１０ａを、第２局は中継局１１０ｂを、第３局は、中継局１１０ｃを、第４局はＷＤＭ端局１１０ｄをそれぞれ表す。また、点線は光が出力されていることを表し、実線は光が断になっていることを表す。
【０１４６】
このような構成によって、第１局のアンプ３０と第２局のアンプ３２との間において、ファイバ障害（Ａと付したところ）が発生すると、アンプ３２は、第１局からのＯＳＣ−ＬＯＬを検出し、第３局に対するＩＬＡ１−ＷＤＭ光出力を停止し、上りＯＳＣ光にＯＳＣ−ＡＬＳを付加する。
同様に、第３局は、第２局からのＯＳＣ−ＡＬＳを検出し、第４局に対するＩＬＡ３−ＷＤＭ光出力を停止し、上りＯＳＣ光にＯＳＣ−ＡＬＳを付加する。
【０１４７】
第４局はアンプ３６によるＷＤＭ−ＬＯＬと、ＯＳＣ光受信部１１による第３局からのＯＳＣ−ＡＬＳとをそれぞれ検出し、ＡＬＳ制御部４０は、これらＷＤＭ−ＬＯＬとＯＳＣ−ＡＬＳとにより、ＡＬＳ制御信号を、対向側送信用のアンプ３７とＯＳＣ光送信部１４に出力する。このＡＬＳ制御信号により、アンプ３７のＷＤＭ光出力と上りＯＳＣ光の出力とがそれぞれ停止する。
【０１４８】
第３局は、第４局からのＯＳＣ−ＡＬＳを検出し、第２局に対するＩＬＡ４−ＷＤＭ出力とＯＳＣ光の出力とをそれぞれ停止する。第２局においても同様の動作が行なわれる。
第１局は、アンプ３１によるＷＤＭ−ＬＯＬ検出と、ＯＳＣ光受信部１５による第２局からのＯＳＣ−ＬＯＬ検出とに基づき、ＡＬＳ制御部４１は、ＷＤＭ−ＬＯＬとＯＳＣ−ＬＯＬとにより、ＡＬＳ制御信号をアンプ３０に出力する。このＡＬＳ制御信号により、アンプ３０のＷＤＭ光出力が停止し、ファイバ障害のために切断されたファイバから出力されるＷＤＭ光出力が停止する。
【０１４９】
ファイバ障害復旧時は、第２局は第１局からの上りＯＳＣ光が得られるため、ＯＳＣ−ＬＯＬ復旧を検出し、第３局に対するＩＬＡ１−ＷＤＭ光出力を停止し、上りＯＳＣ光からＯＳＣ−ＡＬＳを削除する。第３局においても同様に動作する。
第４局はアンプ３６によるＷＤＭ−ＬＯＬ復旧とＯＳＣ光受信部１１による第３局からのＯＳＣ−ＡＬＳ削除を検出し、ＡＬＳ制御部４０は、ＷＤＭ−ＬＯＬ復旧とＯＳＣ−ＡＬＳ復旧とにより、ＡＬＳ制御信号を削除する。このＡＬＳ制御信号により、対向側送信用のアンプ３７のＷＤＭ光出力レベルと下りＯＳＣ光の出力とがいずれも正常レベルに戻される。
【０１５０】
従って、上り下流局上り光検出ステップにおいて、上り下流局が、復旧を、上り主信号光の出力と、上り下流側から出力された下りＯＳＣ光に含まれる光出力の遮断を示す自動光遮断信号が削除されたこととに基づいて検出するとともに、上り下流局折り返しステップにおいて、上り下流局が、上り下流局検出ステップの後、下り主信号光のレベルと下りＯＳＣ光のレベルとを正常レベルに戻して出力するように構成されたことになる。
【０１５１】
第３局は、第４局からのＯＳＣ−ＬＯＬ復旧を検出し、ＩＬＡ４−ＷＤＭ光出力レベルと下りＯＳＣ光の出力とを正常に戻す。第２局においては同様の動作が行なわれる。
第１局は、アンプ３１によるＷＤＭ−ＬＯＬ復旧と、ＯＳＣ光受信部１５による第２局からのＯＳＣ−ＬＯＬ復旧とをそれぞれ検出する。そして、ＡＬＳ制御部４１は、これらＷＤＭ−ＬＯＬ復旧とＯＳＣ−ＬＯＬ復旧とにより、ＡＬＳ制御信号を削除し、このＡＬＳ制御信号により、アンプ３０の上りＷＤＭ光出力レベルが正常レベルに戻される。このファイバ障害復旧により、第１局から第４局までの間におけるＷＤＭ光信号の光出力レベルが自動復旧する。
【０１５２】
このように、送信最終局および対向局送信元でアンプの受信ＬＯＬ検出条件を付加することにより、対向側送信用の元のアンプ出力が停止するように制御される。
また、このように、アンプ３０のＷＤＭ光出力レベルが正常レベルに戻され、また、ファイバ障害復旧により、第１局から第４局までの間のＷＤＭ光信号の光出力レベルが自動復旧する。従って、システムの運用等において、作業者の安全性が維持される。
【０１５３】
（Ｂ３）本発明の第２実施形態の第３変形例の説明
図１５は本発明の第２実施形態の第３変形例に係る光制御方法を説明するための図である。この図１５に示す光伝送システム２００ｂは、波長多重光を伝送するものであって、上述したものと同一の符号を有するものは同一のもの又は同様の機能を有するものなので、更なる説明を省略する。
【０１５４】
このような構成によって、第１局のアンプ３０と第２局のアンプ３２との間において、ファイバ障害（Ａと付したところ）が発生すると、アンプ３２は、第１局からのＯＳＣ−ＬＯＬを検出し、第３局に対するＩＬＡ１−ＷＤＭ光出力と上りＯＳＣ光出力とをいずれも停止する。
同様に、第３局は第２局からのＯＳＣ−ＬＯＬを検出し、第４局に対するＩＬＡ３−ＷＤＭ光出力と上りＯＳＣ光出力とをいずれも停止する。第４局は第３局からのＯＳＣ−ＬＯＬを検出し、対向側送信用のアンプ３７のＷＤＭ光出力を停止し、かつ、下りＯＳＣ光にＯＳＣ−ＡＬＳを付加する。
【０１５５】
第３局は第４局からのＯＳＣ−ＡＬＳを検出し、第２局に対するＩＬＡ３−ＷＤＭ光出力を停止し、下りＯＳＣ光にＯＳＣ−ＡＬＳを付加する。第２局においても同様の動作が行なわれ、第１局は第２局からのＯＳＣ−ＡＬＳを検出し、アンプ３０のＷＤＭ光出力を停止する。これにより、ファイバ障害のために切断されたファイバから出力されるＷＤＭ光出力が停止する。
【０１５６】
ファイバ障害復旧時は、第２局は、第１局からの上りＯＳＣ光が得られるため、ＯＳＣ−ＬＯＬ復旧を検出し、第３局に対するＩＬＡ１−ＷＤＭ光出力レベルと上りＯＳＣ光の送信出力とを正常レベルに戻す。第３局においても同様の動作が行なわれ、第４局においては、第３局からのＯＳＣ−ＬＯＬ復旧を検出し、対向側送信用のアンプ３７のＷＤＭ光出力レベルを正常に戻し、かつ、ＯＳＣ−ＡＬＳを削除する。
【０１５７】
第３局は第４局からのＯＳＣ−ＡＬＳ削除を検出し、ＩＬＡ４−ＷＤＭ光出力レベルを正常レベルに戻す。第２局においても同様の動作が行なわれ、第１局は第２局からのＯＳＣ−ＡＬＳ削除を検出し、アンプ３０のＷＤＭ光出力レベルを正常レベルに戻す。
従って、上り下流局上り光検出ステップにおいて、上り下流局が、復旧を、上り主信号光の出力と上りＯＳＣ光に含まれる光出力の遮断を通知する自動光遮断信号が削除されたこととに基づいて検出するとともに、上り下流局折り返しステップにおいて、上り下流局が、自動光遮断信号を削除して下りＯＳＣ光を出力するように構成されたことになる。
【０１５８】
このファイバ障害復旧により、第１局から第４局までの間におけるＷＤＭ光信号の光出力レベルが自動復旧する。
このように、ＡＬＳ方式において、ファイバ障害時に受信局でＯＳＣ光の受信ＬＯＬを検出した場合に、次の中継（下流）局へのＯＳＣ光の送信出力を停止することにより、対向局送信元のアンプ出力が停止するように制御される。
【０１５９】
また、このように、アンプ３０のＷＤＭ光出力レベルが正常レベルに戻され、また、ファイバ障害復旧により、第１局から第４局までの間のＷＤＭ光信号の光出力レベルが自動復旧する。従って、システムの運用等において、作業者の安全性が維持される。
（Ｂ４）本発明の第２実施形態の第４変形例の説明
図１６は本発明の第２実施形態の第４変形例に係る光制御方法を説明するための図である。この図１６に示す光伝送システム２００ｂは、波長多重光を伝送するものであって、上述したものと同一の符号を有するものは同一のもの又は同様の機能を有するものなので、更なる説明を省略する。
【０１６０】
このような構成によって、第１局のアンプ３０と第２局のアンプ３２との間において、ファイバ障害（Ａと付したところ）が発生すると、アンプ３２は、第１局からのＯＳＣ−ＬＯＬを検出し、第３局に対するＩＬＡ１−ＷＤＭ光出力を停止し、上りＯＳＣ光にＯＳＣ−ＡＬＳを付加する。同様に、第３局は、第２局からのＯＳＣ−ＡＬＳを検出し、第４局に対するＩＬＡ３−ＷＤＭ光出力を停止し、かつ、上りＯＳＣ光にＯＳＣ−ＡＬＳを付加する。
【０１６１】
第４局は、第３局からのＯＳＣ−ＡＬＳを検出し、対向側送信用のアンプ３７のＷＤＭ光出力を停止し、かつ、ＯＳＣ−ＡＬＳを付加する。第３局は第４局からのＯＳＣ−ＡＬＳを検出し、第２局に対するＩＬＡ４−ＷＤＭ出力を停止し、かつ、下りＯＳＣ光にＯＳＣ−ＡＬＳを付加する。第２局においても同様の動作が行なわれる。
【０１６２】
第１局は第２局からのＯＳＣ−ＡＬＳを検出し、アンプ３０のＷＤＭ光出力を停止することにより、ファイバ障害のために切断されたファイバから出力されるＷＤＭ光出力を停止する。
ファイバ障害復旧時は、第２局は、第１局からの上りＯＳＣ光が得られるため、ＯＳＣ−ＬＯＬ復旧を検出し、第３局に対するＩＬＡ１−ＷＤＭ光出力レベルを元に戻し、かつ、上りＯＳＣ光からＯＳＣ−ＡＬＳを削除する。第３局においても同様の動作が行なわれる。
【０１６３】
第４局は第３局からのＯＳＣ−ＡＬＳ削除を検出し、対向側送信用のアンプ３７のＷＤＭ光出力レベルを正常レベルに戻して、ＯＳＣ−ＡＬＳを削除する。第３局は第４局からのＯＳＣ−ＡＬＳ削除を検出し、ＩＬＡ４−ＷＤＭ光出力レベルを正常レベルに戻す。第２局においても同様の動作が行なわれる。
第１局は第２局からのＯＳＣ−ＡＬＳ削除を検出し、アンプ３０のＷＤＭ光出力レベルを正常レベルに戻す。このファイバ障害復旧により、第１局から第４局までの間におけるＷＤＭ光信号の光出力レベルが自動復旧する。
【０１６４】
このように、受信局でＯＳＣ光の受信ＬＯＬを検出した場合に次中継局へのＯＳＣ光送信出力にＡＬＳ制御信号付加することにより、対向局送信元のアンプ出力が停止するように制御される。従って、システムの運用等において、作業者の安全性が維持される。
（Ｂ５）本発明の第２実施形態の第５変形例の説明
図１７は本発明の第２実施形態の第５変形例に係る光制御方法を説明するための図である。この図１７に示す光伝送システム２００ｂは、波長多重光を伝送するものであって、上述したものと同一の符号を有するものは同一のもの又は同様の機能を有するものなので、更なる説明を省略する。
【０１６５】
このような構成によって、第１局のアンプ３０と第２局のアンプ３２との間において、ファイバ障害（Ａと付したところ）が発生すると、アンプ３２は、第１局からのＯＳＣ−ＬＯＬを検出し、第３局に対するＩＬＡ１−ＷＤＭ光出力と上りＯＳＣ光出力とを停止する。同様に、第３局は、第２局からのＯＳＣ−ＬＯＬ検出し、第４局に対するＩＬＡ３−ＷＤＭ光出力と上りＯＳＣ光出力を停止する。
【０１６６】
第４局は、第３局からのＯＳＣ−ＬＯＬを検出し、対向側送信用のアンプ３７のＷＤＭ光出力を停止し、かつ、下りＯＳＣ光出力を停止する。第３局は、第４局からのＯＳＣ−ＬＯＬを検出し、第２局に対するＩＬＡ４−ＷＤＭ出力を停止し、かつ、下りＯＳＣ光出力を停止する。第２局においても同様の動作が行なわれ、第１局は、第２局からのＯＳＣ−ＬＯＬを検出し、かつ、アンプ３０のＷＤＭ光出力を停止する。これにより、ファイバ障害のために切断されたファイバから出力されるＷＤＭ光出力が停止する。
【０１６７】
ファイバ障害復旧時は、第２局は、第１局からの上りＯＳＣ光が得られるため、ＯＳＣ−ＬＯＬ復旧を検出し、第３局に対するＩＬＡ３−ＷＤＭ光出力レベルと上りＯＳＣ光出力レベルとをいずれも正常レベルに戻す。第３局においても同様の動作が行なわれ、第４局は、第３局からのＯＳＣ−ＬＯＬ復旧を検出し、対向側送信用のアンプ３７のＷＤＭ光出力レベルと下りＯＳＣ光の出力レベルとをいずれも正常レベルに戻す。
【０１６８】
第３局は、第４局からのＯＳＣ−ＬＯＬ復旧を検出し、ＩＬＡ４−ＷＤＭ光出力レベルを正常レベルに戻す。第２局においても同様の動作が行なわれ、第１局は、第２局からのＯＳＣ−ＬＯＬ復旧を検出し、アンプ３０のＷＤＭ光出力レベルを正常レベルに戻す。このファイバ障害復旧により、第１局から第４局までの間におけるＷＤＭ光信号の光出力レベルが自動復旧する。
【０１６９】
このように、送信最終局でＯＳＣ光送信出力が停止することにより、対向局送信元のアンプ出力が停止するように制御される。従って、システムの運用等において、作業者の安全性が維持される。
（Ｂ６）本発明の第２実施形態の第６変形例の説明
図１８は本発明の第２実施形態の第６変形例に係る光制御方法を説明するための図である。この図１８に示す光伝送システム２００ｂは、波長多重光を伝送するものであって、上述したものと同一の符号を有するものは同一のもの又は同様の機能を有するものなので、更なる説明を省略する。
【０１７０】
このような構成によって、第１局のアンプ３０と第２局のアンプ３２との間において、ファイバ障害（Ａと付したところ）が発生すると、アンプ３２は、第１局からのＯＳＣ−ＬＯＬを検出し、第３局に対するＩＬＡ１−ＷＤＭ光出力を停止し、上りＯＳＣ光にＯＳＣ−ＡＬＳを付加する。同様に、第３局は、第２局からのＯＳＣ−ＡＬＳを検出し、第４局に対するＩＬＡ３−ＷＤＭ光出力を停止し、かつ、上りＯＳＣ光にＯＳＣ−ＡＬＳ信号を付加する。
【０１７１】
第４局は、第３局からのＯＳＣ−ＡＬＳを検出し、対向側送信用のアンプ３７のＷＤＭ光出力を停止し、かつ、下りＯＳＣ光出力を停止させる。第３局は、第４局からのＯＳＣ−ＬＯＬを検出し、第２局に対するＩＬＡ４−ＷＤＭ出力を停止し、かつ、下りＯＳＣ光出力を停止させる。第２局においても同様の動作が行なわれ、第１局は、第２局からのＯＳＣ−ＬＯＬを検出し、アンプ３０のＷＤＭ光出力が停止することにより、ファイバ障害のために切断されたファイバから出力されるＷＤＭ光出力が停止する。
【０１７２】
ファイバ障害復旧時は、第２局は、第１局からの上りＯＳＣ光が得られるため、ＯＳＣ−ＬＯＬ復旧を検出し、第３局に対するＩＬＡ３−ＷＤＭ光出力を再開し、かつ、上りＯＳＣ光からＯＳＣ−ＡＬＳを削除する。第３局においても同様の動作が行なわれ、第４局は、第３局からのＯＳＣ−ＡＬＳ削除を検出し、対向側送信用のアンプ３７のＷＤＭ光出力レベルとＯＳＣ光出力レベルとのそれぞれのレベルを正常レベルに戻す。
【０１７３】
第３局は、第４局からのＯＳＣ−ＬＯＬ復旧を検出し、ＩＬＡ４−ＷＤＭ光出力レベルを正常レベルに戻す。第２局においても同様の動作が行なわれ、第１局は、第２局からのＯＳＣ−ＬＯＬ復旧を検出し、アンプ３０のＷＤＭ光出力レベルを正常レベルに戻す。このファイバ障害復旧により、第１局から第４局までの間におけるＷＤＭ光信号の光出力レベルを自動復旧する。
【０１７４】
このように、送信最終局でＯＳＣ光の送信出力が停止することにより、対向局送信元のアンプ出力が停止するように制御される。従って、システムの運用等において、作業者の安全性が維持される。
（Ｂ７）本発明の第２実施形態の第７変形例の説明
図１９は本発明の第２実施形態の第７変形例に係る光制御方法を説明するための図である。この図１９に示す光伝送システム２００ｂは、波長多重光を伝送するものであって、上述したものと同一の符号を有するものは同一のもの又は同様の機能を有するものなので、更なる説明を省略する。
【０１７５】
このような構成によって、第１局のアンプ３０と第２局のアンプ３２との間において、ファイバ障害（Ａと付したところ）が発生すると、アンプ３２は、第１局からのＯＳＣ−ＬＯＬを検出し、第３局に対するＩＬＡ１−ＷＤＭ光出力と上りＯＳＣ光出力とのそれぞれを停止させる。同様に、第３局は、第２局からのＯＳＣ−ＬＯＬを検出し、第４局に対するＩＬＡ３−ＷＤＭ光出力と、上りＯＳＣ光出力が停止させる。
【０１７６】
第４局において、アンプ３６のＷＤＭ−ＬＯＬと、第３局からのＯＳＣ−ＬＯＬとのそれぞれが検出される。そして、ＡＬＳ制御部４０は、これらＷＤＭ−ＬＯＬとＯＳＣ−ＬＯＬとにより、ＡＬＳ制御信号をアンプ３７とＯＳＣ光送信部１４とのそれぞれに出力する。また、このＡＬＳ制御信号を受信すると、対向側送信用のアンプ３７はＷＤＭ光出力を停止し、かつ、ＯＳＣ光送信部１４は下りＯＳＣ光にＯＳＣ−ＡＬＳを付加する。
【０１７７】
第３局は、第４局からのＯＳＣ−ＡＬＳを検出し、第２局に対するＩＬＡ４−ＷＤＭ出力を停止し、かつ、下りＯＳＣ光にＯＳＣ−ＡＬＳを付加する。第２局においても同様の動作が行なわれ、第１局は、アンプ３１によるＷＤＭ−ＬＯＬ検出と、ＯＳＣ光受信部１５による第２局からのＯＳＣ−ＡＬＳ検出とを行なう。ＡＬＳ制御部４１は、これらＷＤＭ−ＬＯＬとＯＳＣ−ＡＬＳとにより、ＡＬＳ制御信号をアンプ３０へ送信する。このＡＬＳ制御信号により、アンプ３０のＷＤＭ光出力が停止する。このファイバ障害のために切断されたファイバから出力されるＷＤＭ光出力が停止する。
【０１７８】
ファイバ障害復旧時は、第２局は、第１局からの上りＯＳＣ光が得られるため、ＯＳＣ−ＬＯＬ復旧を検出し、第３局に対するＩＬＡ１−ＷＤＭ光出力レベルと上りＯＳＣ光出力レベルとをいずれも正常レベルに戻す。第３局においても同様の動作が行なわれる。
第４局は、アンプ３６によるＷＤＭ−ＬＯＬ復旧検出と、ＯＳＣ光受信部１１による第３局からのＯＳＣ−ＬＯＬ復旧検出とを行なう。ＡＬＳ制御部４０は、これらＷＤＭ−ＬＯＬ復旧とＯＳＣ−ＬＯＬ復旧とにより、ＡＬＳ制御信号を削除する。このＡＬＳ制御信号により、対向側送信用のアンプ３７のＷＤＭ光出力レベルが正常に戻されて、下りＯＳＣ光のＯＳＣ−ＡＬＳが削除される。
【０１７９】
第３局は、第４局からのＯＳＣ−ＡＬＳ削除を検出し、ＩＬＡ４−ＷＤＭ光出力レベルを正常レベルに戻す。第２局においても同様の動作が行なわれ、第１局は、アンプ３１によるＷＤＭ−ＬＯＬ復旧と、ＯＳＣ光受信部１５による第２局からのＯＳＣ−ＡＬＳ削除とをそれぞれ検出し、ＡＬＳ制御部４１は、これらＷＤＭ−ＬＯＬ復旧とＯＳＣ−ＡＬＳ復旧とにより、ＡＬＳ制御信号を削除する。このＡＬＳ制御信号により、アンプ３０のＷＤＭ光出力レベルが正常レベルに戻される。このファイバ障害復旧により、第１局から第４局までの間におけるＷＤＭ光信号の光出力レベルが自動復旧する。
【０１８０】
このように、送信最終局および対向局送信元でアンプの受信ＬＯＬ検出条件を付加することにより、対向側送信用の元のアンプ出力が停止するように制御される。従って、システムの運用等において、作業者の安全性が維持される。
（Ｃ）本発明の第３実施形態の説明
本実施形態は、レーザセーフティの制御方式として、ＡＰＳＤ方式が用いられており、障害箇所よりも下流の中継局のアンプが、ＷＤＭ−ＬＯＬを検出すると、そのアンプが、下り対向用のアンプのＷＤＭ光出力を停止させるようになっている。このＡＰＳＤ方式は、ＡＬＳ方式のように、次の局には波及せずにファイバ障害が発生した区間においてのみ、ＷＤＭ光出力が停止する。
【０１８１】
図２０は本発明の第３実施形態に係る光伝送システムの構成図である。この図２０に示す光伝送システム２００ｃは、波長多重光を伝送するものであって、ＷＤＭ端局１２０ａ，１２０ｄと、中継局１２０ｂ，１２０ｃと、光伝送路１２０，１１２，１１４と、光伝送路１１１，１１３，１１５とをそなえて構成されている。また、上述したものと同一の符号を有するものは同一のもの又は同様の機能を有するものなので、更なる説明を省略する。また、点線は光が出力されていることを表し、実線は光が断になっていることを表す。
【０１８２】
この図２０に示すＷＤＭ端局１２０ａは、複数の異なる波長（λ1〜λn）を有する光を波長多重し、その波長多重されたＷＤＭ光とＯＳＣ光とを光伝送路１２０に出力するとともに、中継局１２０ｂから出力された下り光を分離しその分離されたＷＤＭ光を分波し波長（λ1〜λn）をそれぞれ有する光を出力し分離された他方のＯＳＣ光を復調するものである。このＷＤＭ端局１２０ａは、第１実施形態に示すＷＤＭ端局１００ａとほぼ同一であるが、上記のＡＰＲ制御部３９の代わりにＡＰＳＤ制御部（APSD Control Box（２））４３を有する。
【０１８３】
また、第３実施形態において、ＷＤＭ端局１２０ａの詳細は、第１実施形態（図２参照）にて説明したＷＤＭ端局１００ａとほぼ同一の構成である。
このＡＰＳＤ制御部４３は、ＯＳＣ光受信部１５，アンプ３１，ＯＳＣ光送信部１０，アンプ３０に接続され、下り光に含まれる制御信号に基づいて所定の制御信号を上り光に付加するものである。
【０１８４】
ここで、ＡＰＳＤ制御信号とは、光伝送システム２００ｃの下流局に対してＷＤＭ光出力の停止を通知する信号である。そして、障害箇所よりも下流局の光増幅器が、ＷＤＭ光を受信できないこと（ＷＤＭ−ＬＯＬ）を検出し、自局のＷＤＭ光出力を停止する。また、ＡＰＳＤ制御信号が、正常のＯＳＣ光に付加されたものが、ＯＳＣ−ＡＰＳＤ信号光である。
【０１８５】
そして、ＡＰＳＤ制御部４３は、ＯＳＣ光受信部１５から出力されるＯＳＣ−ＡＰＳＤ検出信号とアンプ３１から出力されるＷＤＭ−ＬＯＬ検出信号との２種類の信号を入力され、これらの信号を例えば論理積することにより、光伝送路の断を検出する。
さらに、中継局１２０ｂは、ＷＤＭ端局１２０ａにファイバにより、接続され、ＷＤＭ端局１２０ａから出力された上り光を受信し線形増幅して、その増幅した上り光を光伝送路１１２に出力するとともに、中継局１２０ｃから出力された下り光を受信し線形増幅して、その増幅した下り光を光伝送路１１１に出力するものである。また、中継局１２０ｂは、第１実施形態の中継局１００ｂとほぼ同一である。
【０１８６】
同様に、中継局１２０ｃは、中継局１２０ｂとほぼ同様のものであって、中継局１２０ｂとにファイバにより接続され、中継局１２０ｂから出力された上り光を受信し線形増幅して、その増幅した上り光を光伝送路１１４に出力するとともに、ＷＤＭ端局１２０ｄから出力された下り光を受信し線形増幅して、その増幅した下り光を光伝送路１１３に出力するものである。
【０１８７】
さらに、ＷＤＭ端局１２０ｄは、複数の異なる波長（λ1〜λn）を有する光を波長多重し、その波長多重されたＷＤＭ光とＯＳＣ光とを光伝送路１１５に出力するとともに、中継局１２０ｃから出力された上り光を分離しその分離されたＷＤＭ光を分波し波長（λ1〜λn）をそれぞれ有する光を出力し分離された他方のＯＳＣ光を復調するものである。
【０１８８】
上述の構成によって、本実施形態における、光レベル制御方法について、障害検出方法と復旧方法とを、図２１を用いてそれぞれ詳述する。また、第１局はＷＤＭ端局１２０ａを、第２局は中継局１２０ｂを、第３局は、中継局１２０ｃを、第４局はＷＤＭ端局１２０ｄをそれぞれ表す。また、点線は光が出力されていることを表し、実線は光が断になっていることを表す。
【０１８９】
図２１は本発明の第３実施形態に係る光制御方法を説明するための図であり、障害検出については、上記第１実施形態（図３参照）にて説明した内容と同様である。具体的には、図２１にて、第１局のアンプ３０と第２局のアンプ３２との間において、ファイバ障害（Ａと付したところ）が発生すると、第２局は、アンプ３２によるＷＤＭ−ＬＯＬ検出と、第１局からのＯＳＣ−ＬＯＬ検出とに基づき、ＡＰＳＤ制御部４２にてこれらＷＤＭ−ＬＯＬとＯＳＣ−ＬＯとにより、アンプ３３とＯＳＣ光送信部１４とのそれぞれにＡＰＳＤ制御信号を出力する。そして、このＡＰＳＤ制御信号により、対向側送信用のアンプ３３のＷＤＭ光出力が停止すると同時に、上りＯＳＣ光にＯＳＣ−ＡＰＳＤを付加する。
【０１９０】
第１局のアンプ３１はＷＤＭ−ＩＬＤ検出と第２局からのＯＳＣ−ＡＰＳＤ検出とに基づき、ＡＰＳＤ制御部４３にて、ＷＤＭ−ＩＬＤとＯＳＣ−ＡＰＳＤとにより、アンプ３０にＡＰＳＤ制御信号を出力する。このＡＰＳＤ制御信号により、アンプ３０のＷＤＭ光出力が停止する。これにより、ファイバ障害のために切断されたファイバから出力されるＷＤＭ光出力が停止する。
【０１９１】
ファイバ障害復旧時は、第２局は第１局からのＷＤＭ光及び上りＯＳＣ光が得られるため、ＷＤＭ−ＬＯＬとＯＳＣ−ＬＯＬとの復旧をそれぞれ検出し、ＡＰＳＤ制御部４３にてＷＤＭ−ＬＯＬ復旧とＯＳＣ−ＬＯＬ復旧により、ＡＰＳＤ制御信号を削除する。このＡＰＳＤ制御信号により、対向側送信用のアンプ３３のＷＤＭ光出力レベルが正常にされ、ＯＳＣ−ＡＰＳＤが削除される。
【０１９２】
従って、本発明の光レベル制御方法は、光伝送路における障害区間の両側にある第１局と第２局とにおいて、上り主信号光および上りＯＳＣ光を有する上り光と下り主信号光および下りＯＳＣ光を有する下り光とに関するものである。
まず、第２局が、少なくとも上りＯＳＣ光の出力を受信して下り主信号光を出力し（第２局復旧ステップ）、第２局が下りＯＳＣ光を調整して出力し（第２フィードバックステップ）、次に、第１局が、第２フィードバックステップにて調整された下りＯＳＣ光に基づき復旧を検出して上り主信号光の出力を開始する（第１局復旧ステップ）。
【０１９３】
第１局のアンプ３１はＷＤＭ−ＩＬＤを検出し、かつ、第２局からのＯＳＣ−ＬＯＬ復旧を検出し、下りＯＳＣ光に含まれるＡＰＳＤ制御信号の削除を検出する。従って、上記の第２局復旧ステップが、第２局が、復旧を、第１局により、出力された下りＯＳＣ光に含まれる下りＯＳＣ光の復旧と、上り主信号光の出力とに基づいて検出するとともに、第２局が、下りＯＳＣ光に含まれる自動パワー遮断信号（ＡＰＳＤ）を削除するように構成されたことになる。
【０１９４】
そして、ＡＰＲ制御部３８は、これらＷＤＭ−ＩＬＤ復旧とＯＳＣ−ＡＰＳＤ削除とにより、ＡＰＳＤ制御信号を削除する。従って、第１局復旧ステップが、第１局が、復旧を、下り主信号光のレベルが所定レベルを示す閾値信号（ＷＤＭ−ＩＬＤ）と、自動パワー遮断信号（ＡＰＳＤ）が削除されていることとに基づいて検出するように構成されたことになる。
【０１９５】
この制御信号により、第１局は、アンプ３０のＷＤＭ光出力レベルを正常レベルに戻し、ファイバ障害復旧により、第１局と第２局との間におけるＷＤＭ光信号の光出力レベルを自動復旧する。
このように、ＡＰＳＤ方式において、受信局でＯＳＣ光の受信ＬＯＬを検出した場合に、対向局へのアンプ出力を停止し、対向局へのＯＳＣ光送信部１４にＡＰＳＤ制御信号を付加して、対向局送信元のアンプ出力が停止するように制御される。
【０１９６】
また、このように、受信局でＯＳＣ光の受信ＬＯＬおよびアンプの受信ＬＯＬの両方を検出した場合に、対向局送信元のアンプ出力が停止するように制御される。従って、システムの運用等において、作業者の安全性が維持される。
このようにして、２箇所以上のファイバ障害において、片方のみ復旧した場合でも安全に自動復旧させることができる。従って、このようにして、システム運用の確実性が向上する。
【０１９７】
（Ｃ１）本発明の第３実施形態の第１変形例の説明
図２２は本発明の第３実施形態の第１変形例に係る光制御方法を説明するための図である。この図２２に示す光伝送システム２００ｃは、波長多重光を伝送するものであって、上述したものと同一の符号を有するものは同一のもの又は同様の機能を有するものなので、更なる説明を省略する。
【０１９８】
このような構成によって、第１局のアンプ３０と第２局のアンプ３２との間において、ファイバ障害（Ａと付したところ）が発生すると、ＷＤＭ−ＬＯＬ検出と第１局からのＯＳＣ−ＬＯＬの検出とにより、ＡＰＳＤ制御部４２にてＷＤＭ−ＬＯＬとＯＳＣ−ＬＯＬとに基づいて、アンプ３３とＯＳＣ光送信部１４とにそれぞれＡＰＳＤ制御信号を出力する。このＡＰＳＤ制御信号により、対向側送信用のアンプ３３のＷＤＭ光出力が停止すると同時に、下りＯＳＣ光出力が停止する。
【０１９９】
第１局のアンプ３１は、アンプ３１によるＷＤＭ−ＩＬＤ検出と、ＯＳＣ光受信部１５による第２局からのＯＳＣ−ＬＯＬ検出とを行なう。そして、ＡＰＳＤ制御部４３は、これらＷＤＭ−ＩＬＤとＯＳＣ−ＬＯＬとにより、アンプ３０にＡＰＳＤ制御信号を出力する。このＡＰＳＤ制御信号によって、アンプ３０のＷＤＭ光出力が低下される。このファイバ障害のために切断されたファイバから出力されるＷＤＭ光出力が停止する。
【０２００】
ファイバ障害復旧時は、第２局は、第１局からのＷＤＭ光と上りＯＳＣ光とが得られるため、ＷＤＭ−ＬＯＬ復旧とＯＳＣ−ＬＯＬ復旧とをそれぞれ検出し、ＡＰＳＤ制御部４２にてＷＤＭ−ＬＯＬとＯＳＣ−ＬＯＬとのそれぞれの復旧により、ＡＰＳＤ制御信号を削除する。
このＡＰＳＤ制御信号により、対向側送信用のアンプ３３のＷＤＭ光出力レベルとＯＳＣ光の送信出力を正常レベルに戻す。第１局のアンプ３１はＷＤＭ−ＩＬＤを検出し、かつ、第２局からのＯＳＣ−ＬＯＬ復旧を検出し、ＡＰＳＤ制御部４３にてＷＤＭ−ＩＬＤ復旧とＯＳＣ−ＬＯＬ復旧とにより、ＡＰＳＤ制御信号が削除される。このＡＰＳＤ制御信号により、アンプ３０のＷＤＭ光出力レベルが正常レベルに戻される。このファイバ障害復旧により、第１局と第２局との間におけるＷＤＭ光信号の光出力レベルを自動復旧する。
【０２０１】
このように、受信局でＯＳＣ光の受信ＬＯＬおよびアンプの受信ＬＯＬの両方を検出した場合に、対向局へのＯＳＣ光を出力停止することにより、対向局送信元のアンプ出力が停止するように制御される。従って、システムの運用等において、作業者の安全性が維持される。
（Ｃ２）本発明の第３実施形態の第２変形例の説明
図２３は本発明の第３実施形態の第２変形例に係る光制御方法を説明するための図である。この図２３に示す光伝送システム２００ｃは、波長多重光を伝送するものであって、上述したものと同一の符号を有するものは同一のもの又は同様の機能を有するものなので、更なる説明を省略する。
【０２０２】
このような構成によって、第１局のアンプ３０と第２局のアンプ３２との間において、ファイバ障害（Ａと付したところ）が発生すると、第２局は第１局からの上りＯＳＣ光の受信と入力断（ＯＳＣ−ＬＯＬ）とを検出し、対向側送信用のアンプ３３のＷＤＭ光出力を停止させると同時に、ＯＳＣ光送信部１４にＡＰＳＤ制御信号（ＯＳＣ−ＡＰＳＤ）を付加する。第１局は第２局からのＯＳＣ−ＡＰＳＤを検出しかつ、アンプ３０のＷＤＭ光出力を停止させることにより、ファイバ障害のために切断されたファイバから出力されるＷＤＭ光出力が停止する。
【０２０３】
ファイバ障害復旧時は、第２局は第１局からの上りＯＳＣ光が得られるため、ＯＳＣ−ＬＯＬ復旧を検出し対向側送信用のアンプ３３のＷＤＭ光出力レベルを正常レベルに戻すと同時に、ＯＳＣ−ＡＰＳＤを削除する。さらに、第１局は、第２局からのＯＳＣ−ＡＰＳＤ削除を検出し、アンプ３０のＷＤＭ光出力レベルを正常レベルに戻す。このファイバ障害復旧により、第１局と第２局との間におけるＷＤＭ光信号の光出力レベルが自動復旧する。従って、システムの運用等において、作業者の安全性が維持される。
【０２０４】
（Ｃ３）本発明の第３実施形態の第３変形例の説明
図２４は本発明の第３実施形態の第３変形例に係る光制御方法を説明するための図である。この図２４に示す光伝送システム２００ｃは、波長多重光を伝送するものであって、上述したものと同一の符号を有するものは同一のもの又は同様の機能を有するものなので、更なる説明を省略する。
【０２０５】
このような構成によって、第１局のアンプ３０と第２局のアンプ３２との間において、ファイバ障害（Ａと付したところ）が発生すると、第２局は第１局からのＯＳＣ−ＬＯＬを検出し、対向側送信用のアンプ３３のＷＤＭ光出力を停止させると同時に、上りＯＳＣ光出力を停止させる。第１局は、第２局からのＯＳＣ−ＬＯＬを検出し、アンプ３０のＷＤＭ光出力を停止する。これにより、ファイバ障害のために切断されたファイバからのＷＤＭ光出力が停止する。
【０２０６】
ファイバ障害復旧時は、第２局は、第１局からの上りＯＳＣ光が得られるため、ＯＳＣ−ＬＯＬ復旧を検出し対向側送信用のアンプ３３のＷＤＭ光出力レベルを正常レベルに戻すと同時に、下りＯＳＣ光出力レベルを正常レベルに戻す。第１局は、第２局からのＯＳＣ−ＬＯＬ復旧を検出し、アンプ３０のＷＤＭ光出力レベルを正常レベルにする。このファイバ障害復旧により、第１局と第２局との間におけるＷＤＭ光信号の光出力レベルが自動復旧する。
【０２０７】
このように、対向局へのＯＳＣ光を出力停止することにより、対向局送信元のアンプ出力出力が停止するように制御される。従って、システムの運用等において、作業者の安全性が維持される。
（Ｄ）その他
上記の第１実施形態〜第３実施形態における復旧動作については、ＯＳＣ光が遮断されない状態を説明したが、このＯＳＣ光は、第１局と第２局との間において、片側のみを遮断させたり、あるいは、両側を遮断させるようにすることができる。
【０２０８】
すなわち、ＯＳＣ光を遮断しない場合は、上述したように、次の（１−１）〜（１−１０）に示すようになる。
（１−１）上流局と下流局との間（下り回線）にてファイバ障害が発生する。
（１−２）下流局がＷＤＭ光の受信不可（ＷＤＭ−ＬＯＬ）を検出する。
（１−３）下流局がＯＳＣ光の受信不可（ＯＳＣ−ＬＯＬ）を検出する。
【０２０９】
（１−４）上記２種類のＬＯＬ検出により、上り回線のＷＤＭ光のみが出力を遮断又はレベルダウンされる。
（１−５）障害箇所の修復完了
（１−６）下流局において、ＯＳＣ光の受信が可能となる。
（１−７）下流局において、上り回線のＷＤＭ光が自動復帰する。
【０２１０】
（１−８）下流局において、ＯＳＣ光に含まれる情報により、ＷＤＭ光の出力復帰要求が付加される。
（１−９）ＯＳＣ情報により、送信用アンプがＷＤＭ光の出力を再開する。
（１−１０）その結果、下り回線の信号出力が再開する。
次に、ＯＳＣ光を片側のみを遮断させて、伝送する場合は、次の（２−１）〜（２−９）に示すようになる。
【０２１１】
（２−１）上流局と下流局との間（下り回線）にてファイバ障害が発生する。
（２−２）下流局がＷＤＭ光の受信不可（ＷＤＭ−ＬＯＬ）を検出する。
（２−３）下流局がＯＳＣ光の受信不可（ＯＳＣ−ＬＯＬ）を検出する。
（２−４）上記２種類のＬＯＬ検出により、上り回線のＷＤＭ光とＯＳＣ光との双方の光出力を遮断又はレベルダウンされる。
【０２１２】
（２−５）その結果、下り回線のＷＤＭ光のみについてその出力が遮断される。
（２−６）障害箇所の修復完了
（２−７）下流局は、ＯＳＣ光を受信できるようになる。
（２−８）下流局は、上り回線のＷＤＭ光とＯＳＣ光との双方の出力を自動再開する。
【０２１３】
（２−９）その結果、下り回線の信号出力が復帰する。
さらに、ＯＳＣ光について、両側を遮断させて、伝送する場合は、次の（３−１）〜（３−９）に示すようになる。
（３−１）上流局と下流局との間（下り回線）にてファイバ障害が発生する。
（３−２）下流局がＷＤＭ光の受信不可（ＷＤＭ−ＬＯＬ）を検出する。
【０２１４】
（３−３）下流局がＯＳＣ光の受信不可（ＯＳＣ−ＬＯＬ）を検出する。
（３−４）上記２種類のＬＯＬ検出により、上り回線のＷＤＭ光とＯＳＣ光との双方の光出力を遮断又はレベルダウンされる。
（３−５）その結果、下り回線のＷＤＭ光とＯＳＣ光との総称の出力が遮断される。
【０２１５】
（３−６）障害箇所の修復完了
（３−７）下流局は、ＯＳＣ光を受信できるようになる。
（３−８）下流局は、上り回線のＷＤＭ光とＯＳＣ光との双方の出力を自動再開する。
（３−９）その結果、下り回線の信号出力が復帰する。
【０２１６】
なお、本発明は上述した実施態様およびその変形例に限定されるものではなく、本発明の趣旨を逸脱しない範囲で、種々変形して実施することができる。
例えば上記のＡＰＲ制御部３９等は、論理積を用いていたが、これを他のロジック回路や、その他必要な信号を入力するようにして、別の論理を使用するようにしてもよい。
【０２１７】
上り下りの定義は便宜上のものであって、これらが異なることにより、本発明の優位性が損なわれることがないのは、言うまでもない。
第２実施形態において、上り下流局は、ＷＤＭ端局１２０ｄが選択されていたが、ＡＰＳＤ制御信号の折り返し機能は、ＷＤＭ端局に限定されずに、設計上必要な局であって、光伝送路上の他の局を用いても、折り返しを実施することが可能である。
【０２１８】
なお、上記のＷＤＭ端局１００ａ，１００ｄ，中継局１００ｂ，１００ｃ等は、ＮＥ（Network Element）と称されることがある。
（Ｅ）付記
（付記１）  光伝送路における障害区間の両側にある第１局と第２局とにおいて、上り主信号光および上り副信号光を有する上り光と下り主信号光および下り副信号光を有する下り光とに関する、光レベル制御方法であって、
該第２局が、該上り副信号光の出力を受信する第２局上り光受信ステップと、
該第２局が該下り副信号光を調整して出力するフィードバックステップと、
該第１局が、該フィードバックステップにて調整された該下り副信号光に基づき復旧を検出して該上り主信号光の出力を開始する第１局復旧ステップと、
該第２局が、該第１局復旧ステップにて得られた該上り主信号光と該上り副信号光とに基づいて該上り主信号光の復旧を判定する第２局復旧判定ステップと、
該第２局が、該第２局復旧判定ステップにおいて復旧と判定された場合は該下り主信号光を正常レベルに戻して出力するとともに、復旧と判定されない場合は該下り主信号光の出力を停止し続ける第２局復旧ステップとをそなえて構成されたことを特徴とする、光レベル制御方法。
【０２１９】
（付記２）  光伝送路における障害区間の両側にある第１局と第２局とにおいて、上り主信号光および上り副信号光を有する上り光と下り主信号光および下り副信号光を有する下り光とに関する、光レベル制御方法であって、
該第２局が、該上り副信号光の出力を受信する第２局上り光受信ステップと、
該第２局よりも上り下流側にある上り下流局が、前段の局から出力された該上り副信号光の出力に基づき復旧を検出する上り下流局上り光検出ステップと、
該上り下流局が、該上り下流局上り光検出ステップにおける該検出により、該上り主信号光，該上り副信号光，該下り主信号光および該下り副信号光のうちの少なくとも一つを調整して出力する上り下流局折り返しステップと、
該第２局が、該上り下流局折り返しステップにおける調整に基づき復旧を検出して該下り主信号光を正常レベルに戻して出力するとともに、該下り副信号光に含まれる光レベルに関する制御信号を付加して出力する第２局下り主信号光出力ステップと、
該第１局が、該第２局下り主信号光出力ステップにて調整された該下り副信号光に基づき復旧を検出して該上り主信号光の出力を開始する第１局復旧ステップとをそなえて構成されたことを特徴とする、光レベル制御方法。
【０２２０】
（付記３）  該第１局復旧ステップが、
該第１局が、該復旧を、該下り副信号光に含まれる光レベルに関する制御信号と該下り副信号光の出力とに基づいて検出するように構成されたことを特徴とする、付記１又は付記２記載の光レベル制御方法。
（付記４）  光伝送路における障害区間の両側にある第１局と第２局との間において、上り主信号光および上り副信号光を含む上り光と下り主信号光および下り副信号光を含む下り光とに関する、光レベル制御方法であって、
該第２局が、該上り副信号光レベルと、該上り副信号光に含まれる制御信号を認識することとのうちの少なくとも一つにより、該光伝送路の障害を検出する第２局障害検出ステップと、
該第２局が、該第２局障害検出ステップにおける該検出により、該下り副信号光と該下り主信号光とのうちの少なくとも一方を調整して出力する第２フィードバックステップと、
該第１局が、該第２フィードバックステップにおいて調整された該下り副信号光と該下り主信号光とのうちの少なくとも一方に基づいて、該上り主信号光を調整して出力する第１局上り光調整ステップとをそなえて構成されたことを特徴とする、光レベル制御方法。
【０２２１】
（付記５）  該第２局障害検出ステップが、さらに、
該第２局が、該検出を、該第２局よりも上り下流側に設けられた上り下流局が出力した該下り副信号光の受信断を認識することと、該下り副信号光に含まれる下り制御信号を認識することとのうちの少なくとも一つにより、行なうように構成されたことを特徴とする、付記４記載の光レベル制御方法。
【０２２２】
（付記６）  該第１局復旧ステップが、
該第１局が、該制御信号として、該下り副信号光に含まれる光出力遮断を通知する自動パワー遮断信号を用いるように構成されことを特徴とする、付記３記載の光レベル制御方法。
（付記７）  該第１局復旧ステップが、
該第１局が、該復旧を、該制御信号としての光レベルの低下を示す自動レベル低下信号が削除されていることと、該下り主信号光のレベルが所定レベルを示す閾値信号とに基づいて検出するように構成されたことを特徴とする、付記３記載の光レベル制御方法。
【０２２３】
（付記８）  該第１局復旧ステップが、
該第１局が、該復旧を、該制御信号としての光出力の遮断を示す自動光遮断信号が削除されていることと、該下り主信号光の出力とに基づいて検出するとともに、該自動光遮断信号を削除して該上り主信号光を正常レベルに戻して出力するように構成されたことを特徴とする、付記３記載の光レベル制御方法。
【０２２４】
（付記９）  該第１局復旧ステップが、
該第１局が、該復旧を、該下り主信号光のレベルが所定レベルを示す閾値信号と、該下り副信号光の復旧とに基づいて検出するように構成されたことを特徴とする、付記３記載の光レベル制御方法。
（付記１０）  該上り下流局上り光検出ステップが、
該上り下流局が、該復旧を、該上り主信号光の出力と該上り副信号光の出力とに基づいて検出するように構成されたことを特徴とする、付記２記載の光レベル制御方法。
【０２２５】
（付記１１）  該上り下流局上り光検出ステップが、
該上り下流局が、該復旧を、該上り主信号光の出力と、上り下流側から出力された該下り副信号光に含まれる光出力の遮断を示す自動光遮断信号が削除されたこととに基づいて検出するとともに、
該上り下流局折り返しステップが、
該上り下流局が、該上り下流局検出ステップの後、該下り主信号光のレベルと該下り副信号光のレベルとを正常レベルに戻して出力するように構成されたことを特徴とする、付記２記載の光レベル制御方法。
【０２２６】
（付記１２）  該上り下流局上り光検出ステップが、
該上り下流局が、該復旧を、該上り主信号光の出力と該上り副信号光に含まれる光出力の遮断を通知する自動光遮断信号が削除されたこととに基づいて検出するとともに、
該上り下流局折り返しステップが、
該上り下流局が、該自動光遮断信号を削除して該下り副信号光を出力するように構成されたことを特徴とする、付記２記載の光レベル制御方法。
【０２２７】
（付記１３）  該上り下流局折り返しステップが、
該上り下流局が、該復旧を、該下り主信号光の出力と該下り副信号光に含まれる光レベルに関する制御信号とに基づいて該下り副信号光を出力するように構成されたことを特徴とする、付記２記載の光レベル制御方法。
（付記１４）  光伝送路における障害区間の両側にある第１局と第２局とにおいて、上り主信号光および上り副信号光を有する上り光と下り主信号光および下り副信号光を有する下り光とに関する、光レベル制御方法であって、
該第２局が、少なくとも該上り副信号光の出力を受信して該下り主信号光を出力する第２局復旧ステップと、
該第２局が該下り副信号光を調整して出力する第２フィードバックステップと、
該第１局が、該第２フィードバックステップにて調整された該下り副信号光に基づき復旧を検出して該上り主信号光の出力を開始する第１局復旧ステップとをそなえて構成されたことを特徴とする、光レベル制御方法。
【０２２８】
（付記１５）  該第２局復旧ステップが、
該第２局が、該復旧を、該第１局により、出力された該下り副信号光に含まれる下り副信号光の復旧と、該上り主信号光の出力とに基づいて検出するとともに、
該第２局が、該下り副信号光に含まれる該自動パワー遮断信号を削除するように構成されたことを特徴とする、付記１４記載の光レベル制御方法。
【０２２９】
（付記１６）  該第１局復旧ステップが、
該第１局が、該復旧を、該下り主信号光のレベルが所定レベルを示す閾値信号と、該自動パワー遮断信号が削除されていることとに基づいて検出するように構成されたことを特徴とする、付記１４記載の光レベル制御方法。
（付記１７）  該第１局上り光調整ステップが、
該第１局が、該検出を、該上り制御信号，該上り主信号光の出力レベルおよび該上り副信号光の出力レベルのうちの少なくとも２つを用いて行なうように構成されたことを特徴とする、付記４記載の光レベル制御方法。
【０２３０】
（付記１８）  光伝送路における障害区間の両側にある第１局と第２局とにおいて、上り主信号光および上り副信号光を有する上り光と下り主信号光および下り副信号光を有する下り光とに関する、光レベル制御方法であって、
該第２局が、該上り副信号光に含まれる光レベルに関する制御信号と該上り副信号光の断とのうちの一方を検出し、少なくとも該上り主信号光を正常レベルに戻して出力する第２局復旧ステップと、
該第２局が該下り副信号光を調整して出力するフィードバックステップと、
該第１局が、該フィードバックステップにて調整された該下り副信号光に基づき復旧を検出して該上り主信号光の出力を開始する第１局復旧ステップとをそなえて構成されたことを特徴とする、光レベル制御方法。
【０２３１】
【発明の効果】
以上詳述したように、本発明の光レベル制御方法によれば、第２局が、上りＯＳＣ光の出力を受信する第２局上り光受信ステップと、第２局が下りＯＳＣ光を調整して出力するフィードバックステップと、第１局が、フィードバックステップにて調整された下りＯＳＣ光に基づき復旧を検出して上り主信号光の出力を開始する第１局復旧ステップと、第２局が、第１局復旧ステップにて得られた上り主信号光と上りＯＳＣ光とに基づいて上り主信号光の復旧を判定する第２局復旧判定ステップと、第２局が、第２局復旧判定ステップにおいて復旧と判定された場合は下り主信号光を正常レベルに戻して出力するとともに、復旧と判定されない場合は下り主信号光の出力を停止し続ける第２局復旧ステップとをそなえて構成されているので、ＷＤＭ光入力レベルダウンの設定を不要にでき、また、ファイバ復旧により、人の手を煩わせずに安全に自動復旧させることが可能となる利点がある（請求項１）。
【０２３２】
また、本発明の光レベル制御方法は、第２局が、上りＯＳＣ光の出力を受信する第２局上り光受信ステップと、第２局よりも上り下流側にある上り下流局が、前段の局から出力された上りＯＳＣ光の出力に基づき復旧を検出する上り下流局上り光検出ステップと、上り下流局が、上り下流局上り光検出ステップにおける検出により、上り主信号光，上りＯＳＣ光，下り主信号光および下りＯＳＣ光のうちの少なくとも一つを調整して出力する上り下流局折り返しステップと、第２局が、上り下流局折り返しステップにおける調整に基づき復旧を検出して下り主信号光を正常レベルに戻して出力するとともに、下りＯＳＣ光に含まれる光レベルに関する制御信号を付加して出力する第２局下り主信号光出力ステップと、第１局が、第２局下り主信号光出力ステップにて調整された下りＯＳＣ光に基づき復旧を検出して上り主信号光の出力を開始する第１局復旧ステップとをそなえて構成されているので、２箇所以上のファイバ障害において、片方のみ復旧した場合でも安全に自動復旧させることができる利点がある（請求項２）。
【０２３３】
さらに、本発明に関連する技術の光レベル制御方法は、第２局が、上りＯＳＣ光レベルと、上りＯＳＣ光に含まれる制御信号を認識することとのうちの少なくとも一つにより、光伝送路の障害を検出する第２局障害検出ステップと、第２局が、第２局障害検出ステップにおける検出により、下りＯＳＣ光と下り主信号光とのうちの少なくとも一方を調整して出力する第２フィードバックステップと、第１局が、第２フィードバックステップにおいて調整された下りＯＳＣ光と下り主信号光とのうちの少なくとも一方に基づいて、上り主信号光を調整して出力する第１局上り光調整ステップとをそなえて構成されているので、ファイバ障害となっている送信アンプの光出力の停止又は光出力レベルダウンが確実に行なわれる利点がある。
【０２３４】
また、前記第１局復旧ステップが、第１局が、復旧を、下りＯＳＣ光に含まれる光レベルに関する制御信号と下りＯＳＣ光の出力とに基づいて検出するように構成されてもよく、前記第２局障害検出ステップが、さらに、第２局が、検出を、第２局よりも上り下流側に設けられた上り下流局が出力した下りＯＳＣ光の受信断を認識することと、下りＯＳＣ光に含まれる下り制御信号を認識することとのうちの少なくとも一つにより、行なうように構成することもでき、このようにすれば、システム運用の確実性が向上する利点がある（請求項３）。
【図面の簡単な説明】
【図１】本発明の第１実施形態に係る光伝送システムの構成図である。
【図２】本発明の第１実施形態に係る２局のブロック図である。
【図３】本発明の第１実施形態に係る障害発生時の動作を説明するための図である。
【図４】本発明の第１実施形態に係る障害検出を説明するためのフローチャートである。
【図５】本発明の第１実施形態に係る復旧方法を説明するためのフローチャートである。
【図６】本発明の第１実施形態の第１変形例に係る光制御方法を説明するための図である。
【図７】本発明の第１実施形態の第２変形例に係る光制御方法を説明するための図である。
【図８】本発明の第１実施形態の第３変形例に係る光制御方法を説明するための図である。
【図９】本発明の第２実施形態に係る光伝送システムの構成図である。
【図１０】本発明の第２実施形態に係る３局のブロック図である。
【図１１】本発明の第２実施形態に係る障害発生時の動作を説明するための図である。
【図１２】本発明の第１実施形態に係る復旧方法を説明するためのフローチャートである。
【図１３】本発明の第２実施形態の第１変形例に係る光制御方法を説明するための図である。
【図１４】本発明の第２実施形態の第２変形例に係る光制御方法を説明するための図である。
【図１５】本発明の第２実施形態の第３変形例に係る光制御方法を説明するための図である。
【図１６】本発明の第２実施形態の第４変形例に係る光制御方法を説明するための図である。
【図１７】本発明の第２実施形態の第５変形例に係る光制御方法を説明するための図である。
【図１８】本発明の第２実施形態の第６変形例に係る光制御方法を説明するための図である。
【図１９】本発明の第２実施形態の第７変形例に係る光制御方法を説明するための図である。
【図２０】本発明の第３実施形態に係る光伝送システムの構成図である。
【図２１】本発明の第３実施形態に係る光制御方法を説明するための図である。
【図２２】本発明の第３実施形態の第１変形例に係る光制御方法を説明するための図である。
【図２３】本発明の第３実施形態の第２変形例に係る光制御方法を説明するための図である。
【図２４】本発明の第３実施形態の第３変形例に係る光制御方法を説明するための図である。
【図２５】光伝送システムの構成図である。
【図２６】ＡＰＲ方式を説明するための図である。
【図２７】ＡＬＳ方式を説明するための図である。
【図２８】ＡＰＳＤ方式を説明するための図である。
【符号の説明】
１０，１４  ＯＳＣ光送信部
１１，１５  ＯＳＣ光受信部
１２  合波器
１３  分波器
２０，２３  多重部
２１  分離部
２２  分波部
３０〜３７  アンプ
３８，３９，４０，４１  ＡＰＲ制御部
３８ａ，３８ｂ  論理ゲート
４０，４１  ＡＬＳ制御部
４２，４３  ＡＰＳＤ制御部
５０，５３，５５，５７  レーザーダイオード
５１，５２，５４，５６  フォトダイオード
７０，７２  制御回路
７１  Ｅ／Ｏ変換器
７３  Ｏ／Ｅ変換器
１００ａ，１１０ａ，１２０ａ，１００ｄ，１１０ｄ，１２０ｄ  ＷＤＭ端局
１００ｂ，１００ｃ，１１０ｂ，１１０ｃ，１２０ｂ，１２０ｃ  中継局
１１０〜１１５  光伝送路
２００，２００ａ，２００ｂ，２００ｃ  光伝送システム
【図１】
0004495321.tif 000002
【図２】
0004495321.tif 000003
【図３】
0004495321.tif 000004
【図４】
0004495321.tif 000005
【図５】
0004495321.tif 000006
【図６】
0004495321.tif 000007
【図７】
0004495321.tif 000008
【図８】
0004495321.tif 000009
【図９】
0004495321.tif 000010
【図１０】
0004495321.tif 000011
【図１１】
0004495321.tif 000012
【図１２】
0004495321.tif 000013
【図１３】
0004495321.tif 000014
【図１４】
0004495321.tif 000015
【図１５】
0004495321.tif 000016
【図１６】
0004495321.tif 000017
【図１７】
0004495321.tif 000018
【図１８】
0004495321.tif 000019
【図１９】
0004495321.tif 000020
【図２０】
0004495321.tif 000021
【図２１】
0004495321.tif 000022
【図２２】
0004495321.tif 000023
【図２３】
0004495321.tif 000024
【図２４】
0004495321.tif 000025
【図２５】
0004495321.tif 000026
【図２６】
0004495321.tif 000027
【図２７】
0004495321.tif 000028
【図２８】
0004495321.tif 000029